(57)【要約】【課題】陰唇間パッドを個別に内包する個別包装体を清潔に維持し、また清潔かつ素早く取り出すことができる外装容器を提供する。【解決手段】女性陰唇間に挟み込むための陰唇間パッド１Ａを個別包装体１は個別に内包している。外装容器１０は個別包装体１を収納する。個別包装体１の２個以上は当該個別包装体１の厚さ方向に形成される面１１Ａ及び１１Ｂが向かい合うように整列して外装容器１０に収納される。個別包装体１は底面２１から開口部２２Ａに向かうに従い放射状に広がって収納されており、外装容器１０に収納される個別包装体１を把持して長手方向に取り出すことができる。また、個別包装体１は陰唇間パッド１Ａを取り出すための開封口１２を有しており、開封口１２が取り出し方向に揃えて外装容器１０に収納しているので、開封動作が容易であり、衛生的である。【選択図】      図２
2004307044.tif 000002
【特許請求の範囲】
【請求項１】
女性陰唇間に挟み込むための陰唇間パッドを個別に内包している個別包装体を収納する外装容器であって、
前記個別包装体を取り出すための第１開口部を形成している収納空間を形成している第１本体によって構成されており、
前記個別包装体の２個以上が厚さ方向に整列して前記収納空間に収納されるものであり、
収納されている前記個別包装体を把持して前記個別包装体の長手方向に取り出すことができることを特徴とする外装容器。
【請求項２】
女性陰唇間に挟み込むための陰唇間パッドを個別に内包している個別包装体を収納する外装容器であって、
前記個別包装体を収納する第１本体を備えており、
前記第１本体は、矩形の第１底面を有して当該第１底面により直立し得るものであり、
前記第１底面における二組の対辺をそれぞれの稜線として立設された第１から第４の四つの側面が形成されており、
前記第１底面と前記四つの側面で囲われる前記第１本体の上面において前記第１底面に対向して第１開口部が形成されており、
前記第１底面における第１の辺を第１の稜線とする第１の側面と前記第１底面における第２の辺を第２の稜線とする第２の側面とは対向しており、
前記個別包装体の２個以上は前記第１の側面と前記第２の側面との収納空間に当該個別包装体の厚さ方向に整列して収納されるものであり、
前記第１開口部の面積は前記第１底面の面積より大きく形成されていることを特徴とする外装容器。
【請求項３】
前記第１の側面と前記第２の側面との間隔は前記第１底面から前記第１開口部に向かうに従い広くなっていることを特徴とする請求項２記載の外装容器。
【請求項４】
前記第１底面における第３の辺を第３の稜線とする第３の側面と前記第１底面における第３の辺を第４の稜線とする第４の側面は平行に対向しており、前記第３の側面内壁と前記第４の側面内壁との間隔は前記個別包装体の横短辺の長さより大きいことを特徴とする請求項３記載の外装容器。
【請求項５】
前記第３の側面と前記第４の側面は、前記第１底面と各々直交していることを特徴とする請求項４記載の外装容器。
【請求項６】
前記第３の側面と前記第４の側面は前記個別包装体の横短辺に接していることを特徴とする請求項５記載の外装容器。
【請求項７】
前記陰唇間パッドを内包する前記個別包装体は、当該陰唇間パッドを取り出すための開封口を形成しており、前記開封口が同方向に向くように前記個別包装体が厚み方向に整列されていることを特徴とする請求項１から６のいずれかに記載の外装容器。
【請求項８】
前記第１開口部を着脱自在に覆う第１蓋体を備えていることを特徴とする請求項２から７のいずれかに記載の外装容器。
【請求項９】
前記第１本体における前記四つの側面のいずれか一つの上部で結合しており、当該第１開口部を覆うように開閉することができる第１蓋体を備えていることを特徴とする請求項２から７のいずれかに記載の外装容器。
【請求項１０】
紙カートンで形成されていることを特徴とする請求項７に記載の外装容器。
【請求項１１】
前記第１の側面と前記第２の側面のそれぞれに対向する第１と第２の折込み部が形成されており、
前記第１の側面と前記第２の側面との間隔は前記第１底面から前記第１と第２の折込み部に向かうに従い狭くなっており、前記第１の側面と前記第２の側面との間隔は前記第１と第２の折込み部から前記第１開口部に向かうに従い広くなっていることを特徴とする請求項４から１０のいずれかに記載の外装容器。
【請求項１２】
展開型紙を折り曲げて組み立てられる外装容器であって、
前記第１の側面に第１の稜線と相反する第５の稜線が形成されており、
前記第２の側面に第２の稜線と相反する第６の稜線が形成されており、
前記第３の側面に第３の稜線と相反する第７の稜線が形成されており、
前記第４の側面に第４の稜線と相反する第８の稜線が形成されており、
前記第１から第４の稜線とそれぞれ相反する前記第５から第８の稜線の中間に、前記第１から第４の稜線とそれぞれ平行する第１から第４の折り目が前記第１から第４の側面に連続して形成されており、
前記第３と第４の稜線幅より狭い幅をもつ第１と第２の狭幅折り目が前記第３と第４の折り目の線上にそれぞれ形成されており、
前記第１の狭幅折り目における第１と第２の端点と前記第１の稜線における第１と第２の稜とをそれぞれ結ぶ第１と第２の傾斜折り目と、前記第１の狭幅折り目における第１と第２の端点と前記第５の稜線における第１と第２の稜とをそれぞれ結ぶ第３と第４の傾斜折り目とが前記第３の側面にそれぞれ形成されており、
前記第２の狭幅折り目における第１と第２の端点と前記第２の稜線における第１と第２の稜とをそれぞれ結ぶ第５と第６の傾斜折り目と、前記第２の狭幅折り目における第１と第２の端点と前記第６の稜線における第１と第２の稜とをそれぞれ結ぶ第７と第８の傾斜折り目とが前記第４の側面に形成されており、
第１と第３と第５と第７の傾斜折り目で区画される前記第１の折込み部と、第２と第４と第６と第８の傾斜折り目で区画される前記第２の折込み部とがそれぞれ形成されていることを特徴とする請求項１１に記載の外装容器。
【請求項１３】
展開型紙を折り曲げて組み立てられる外側ケースと、
展開型紙を折り曲げて組み立てられる内側ケースと、で構成されており、
前記外側ケースは前記第１本体の外形を実質的に形成しており、
前記内側ケースは前記外側ケースに内接するように形成されており、
前記内側ケースにおける対向する第１と第２の側面板はそれぞれ第５と第６の折り目で前記内側ケースにおける内側から外側に折り曲げられてそれぞれの縁部は前記内側ケースの上面から突出しており、
前記外側ケースは前記内側ケースにおける前記第１と第２の側面板を移動自在に保持しており、
前記第１の側面板の端部を引き上げると前記第１の側面板に形成されている互いに平行な第５と第７と第９の折れ目で折れ曲がり三角形状の第１の突出部を形成し、
前記第２の側面板の端部を引き上げると前記第２の側面板に形成されている互いに平行な第６と第８と第１０の折れ目で折れ曲がり三角形状の第２の突出部を形成し、
前記第１の突出部と前記第２の突出部が互いに近づくことを特徴とする請求項１０に記載の外装容器。
【請求項１４】
前記個別包装体の２個以上が厚さ方向に複数列に整列されて前記第１本体に収納されていることを特徴とする請求項２から１０のいずれかに記載の外装容器。
【請求項１５】
前記個別包装体の２個以上が厚さ方向に複数列に整列されて前記第１本体に収納されている外装容器であって、
前記複数列間に仕切り板を備えていることを特徴とする請求項１４記載の外装容器。
【請求項１６】
身体側に面する透水性の表面側シートと反身体側となる衣服側に面する裏面側シートとが体液を吸収する吸収体を内包させた形態で接合され、女性陰唇間に挟み込むための陰唇間パッドが内包されている個別包装体が収納される外装容器であって、
前記陰唇間パッドは、前記裏面側シートの反身体側には、当該裏面側シートの長手方向の各側部において１箇所以上の接合部分と、当該裏面側シートの短手方向において非接合部分と、をもって接合されたミニシート片を備え、前記非接合部分が、前記ミニシート片と前記裏面側シートとの間において、指の挿入が可能な指挿入用口を形成していることを特徴とする請求項１から１５のいずれかに記載の外装容器。
【請求項１７】
前記陰唇間パッドを取り出すための開封口を有し、前記陰唇間パッドを内包した個別包装体が収納される外装容器であって、
前記個別包装体を開封したときには、前記陰唇間パッドの前記指挿入用口が開くように前記陰唇間パッドが折り畳まれて前記個別包装体に内包されていることを特徴とする請求項１から１６のいずれかに記載の外装容器。
【請求項１８】
生理用品を収納するための生理用品用外装容器であって、
前記生理用品を収納するための第２本体を備えており、
前記第２本体は、矩形の第２底面を有して当該第２底面により直立し得るものであり、
前記第２底面における二組の対辺をそれぞれの稜線として立設された第５から第８の四つの側面が立設されており、
前記第２底面と前記四つの側面で囲われる前記第２本体の上面において、前記第２底面に対向して形成された第２開口部が形成されており、
前記第２底面における第１の辺を第１の稜線とする第５の側面と前記２底面における第２の辺を第２の稜線とする第６の側面とは対向しており、
前記第５の側面と前記第６の側面との間隔は前記第２底面から前記第２開口部に向かうに従い狭くなっており、
前記第２底面における第３の辺を第３の稜線とする第７の側面と前記第２底面における第４の辺を第４の稜線とする第８の側面とは平行に対向しており、
前記第７の側面と前記第８の側面は前記第２底面と各々直交していることを特徴とする生理用品用外装容器。
【請求項１９】
請求項５記載の外装容器における第１の側面と、前記第５の側面とは相補する形状を形成していることを特徴とする請求項１８記載の生理用品用外装容器。
【請求項２０】
請求項５記載の外装容器における第１の側面と第１底面とで鈍角が形成されており、前記第５の側面と前記第２底面とで鋭角とが形成されており、前記鈍角と前記鋭角の和が１８０度であることを特徴とする請求項１９記載の生理用品用外装容器。
【請求項２１】
請求項５記載の外装容器における第１底面から第１開口部までの高さと、前記第２底面から前記第２開口部までの高さとは同じであることを特徴とする請求項２０記載の生理用品用外装容器。
【請求項２２】
請求項５記載の外装容器における第１本体の第３の側面と、前記第２本体の前記第７の側面とが同一平面上に並列配置される場合に、
請求項５記載の外装容器における第１本体の第３の側面と、前記第２本体の前記第７の側面とに一体に図柄が表示されることを特徴とする請求項２０又は２１のいずれかに記載の生理用品用外装容器。
【請求項２３】
紙カートンで形成されていることを特徴とする請求項１８から２２のいずれかに記載の生理用品用外装容器。
【発明の詳細な説明】
【０００１】
【発明の属する技術分野】
この発明は、陰唇間パッドの個別包装体を収納する外装容器に関する。特に、陰唇間パッドが身体に装着されるまで形状を保持することに関する。
【０００２】
【従来の技術】
従来の生理用処理用品の外装用容器としては、主にナプキンで使用されている軟質の薄膜フィルムを製袋した軟包装容器がある。しかし、このような軟包装容器は柔軟で変形自在であるため製品保管や輸送時に内包された製品ごと変形する可能性が予想される。特に、女性陰唇間に挿入する陰唇間パッドは高い柔軟性が要求されており、外力の影響を大変うけやすい。したがって、陰唇間パッドが製造出荷されてから着用者の陰唇間に挟み込まれるまでの間、陰唇間パッドの形状を保持し、型崩れや潰れなどの変形を起し難い外装用包装容器が求められている。
【０００３】
２０００年４月〜２００１年３月に、米国オハイオ州シンシナティ所在（Ｏｎｅ  Ｐｒｏｃｔｅｒ  ＆  Ｇａｍｂｌｅ  Ｐｌａｚａ  Ｃｉｎｃｉｎｎａｔｉ，ＯＨ４５２０２）のプロクター＆ギャンブル社（Ｐｒｏｃｔｅｒ  ＆  Ｇａｍｂｌｅ  Ｃｏ．）から、アンビーブ（ｅｎｖｉｖｅ）という商品名称である陰唇間パッドの外装用容器として、ブロー形成したプラスチック製のポリ容器が開示された。
【０００４】
これは楕円形状の外装用容器本体と蓋体で形成されており、外装容器の本体の上面は開口され、上面の面積は底面の面積よりも相対的に若干広い形状であった。また、実質的に長手方向、短手方向（幅方向）と厚みを有する個別包装体は、開口面に対して長手方向と短手方向（幅方向）で形成している面が垂直になるように収納されていた。
【０００５】
ところで、収納している内容物が飛び出すことがないよう、外装容器の開口面は、通常、外装容器の上面に位置している。外装容器に収容されている個別包装体は、外装容器の底面に対して垂直に配置されることとなる。したがって、柔軟性の高い陰唇間パッドを水平に積み重ねて収納するような外装容器に比べ、重力により底面部付近の陰唇間パッドが潰れることがなく、開封直後に着用する開口面付近の製品と最後に使用する底面付近の製品とで陰唇間パッドの形状が異なるといったこともない。開封直後と最後に使用する陰唇間パッドが潰れなどの形状の違いもなく同じ品質で使用することが可能となる。
【０００６】
更に、外装容器がプラスチック製ポリ容器であるため外部からの衝撃に対しても、収納されている個別包装体に直接的な影響を受けにくく、陰唇間パッドの形状を保持することが可能であった。
【０００７】
また、内容物を収納し、内容物を取り出すための容器として、切妻型又は平面状の頂部を有する角型の紙容器等がある（例えば、特許文献１参照）。
【０００８】
【特許文献１】
特開２０００−１０９０５７号公報
【０００９】
【発明が解決しようとする課題】
しかしながら、このような従来例（ｅｎｖｉｖｅ「商品名」）にあっては、外装容器本体は、楕円柱状であり、本体の上面の開口面は底面の面積よりも相対的に若干広い形状であるブロー成形したプラスチック製のポリ容器であるという構造
（構成）となっていた。このため、一般的に、開口部に対して個別包装体を垂直に収納している外装容器では、開封して最初の１つの個別包装体を取り出すときに、個別包装体と個別包装体または外装容器の隙間に指を滑り込ませて個別包装体を摘んで取り出す必要がある。
【００１０】
楕円柱状の外装容器の場合、実質的に長手方向と短手方向と厚みを有する個別包装体を規則正しく整列して収納することは事実上困難である。つまり、個別包装体の長手方向と短手方向が形成している面に方向性を持たせて整列することができないため、効率よく収納することができずに結果として個別包装体の周囲には大小様々な隙間がランダムに存在することになる。
【００１１】
しかし、個別包装体が充填されている外装容器の中から、開封直後に最初の１つを取り出すには、たとえ、外装容器の開口面が若干広い形状で、個別包装体の周囲にランダムな隙間が存在したとしても、個別包装体と外装容器との間に確実に指を挿入できる領域（空間）を任意に確保することは困難である。特に、柔軟性の高い陰唇間パッドを内包している個別包装体の場合は、確実に指を挿入できなければ容易に陰唇間パッドを押し潰してしまい形崩れや変形を発生して形状を保持できなくなる。
【００１２】
また、時間をかけて指を侵入させる空間を探し出し、変形させることなく取り出せたとしても、個別包装体が方向性を持たないため、内包されている陰唇間パッドを取り出すために開封口を探し、個別包装体を持ち替える必要がある。したがって、何度も持ち替えることで内包された陰唇間パッドを変形させる恐れを生じてしまうだけでなく、手間が掛かり陰唇間パッドを素早く外装容器から取り出して身体に装着することもできない。
【００１３】
更に、個別包装体の周囲にはランダムな空隙が存在するため、輸送時など外装容器に加わった衝撃により、個別包装体が移動し、お互いに様々な角度でぶつかり合い、内包された陰唇間パッドが形崩れや潰れといった変形を発生する可能性もある。
【００１４】
以上のように、陰唇間パッドの形状を保持できずに、形崩れや潰れといった変形を発生してしまい、陰唇間パッドを陰唇間に上手く挿入することができず、挿入できても変形しているためにモレを誘発する恐れがあるばかりでなく、陰唇間パッドを外装容器から素早く取り出して身体に着用することもできないという課題があった。
【００１５】
一方、前述の切妻型又は平面状の頂部を有する角型の紙容器等では、収納されている対象物が主として液体であり、また、発明の対象が前記紙容器を手に持ち易くすることを目的としている。一方、本発明における外装容器は、収納されている対象物が陰唇間パッドという柔軟ではあるが固体であるという点が異なり、外装容器から取り出された陰唇間パッドが身体に装着されるまでその形状を保持することを目的としているという違いがある。
【００１６】
この発明は、このような課題に鑑みてなされたものであり、陰唇間パッドを個別に内包する個別包装体を清潔に維持し、また清潔かつ素早く取り出すことができる外装容器を提供することにより、上記課題を解決することを目的とする。
【００１７】
【課題を解決するための手段】
前記陰唇間パッドは女性の陰唇を覆うためのものであり、例えば、生理等に対応する製品である。したがって、前記製品（陰唇間パッド及びその外装容器）は以下の要件が求められる。
【００１８】
第１の要件として、前記陰唇間パッドが清潔にかつ変形することなく保持されていることである。第２の要件として、前記陰唇間パッドが清潔に、さらに素早く取り出せるように外装容器に保持されていることである。第３の要件として、前記陰唇間パッドを外装容器から取り出してから、清潔にさらに素早く陰唇へ装着できることである。
【００１９】
本発明者らは、上記要件を満たし、かつ、前記目的を達成する製品につき研究した結果、本発明を完成させた。本発明は以下の内容からなる。
【００２０】
（１）  女性陰唇間に挟み込むための陰唇間パッドを個別に内包している個別包装体を収納する外装容器であって、前記個別包装体を取り出すための第１開口部を形成している収納空間を形成している第１本体によって構成されており、前記個別包装体の２個以上が厚さ方向に整列して前記収納空間に収納されるものであり、収納されている前記個別包装体を把持して前記個別包装体の長手方向に取り出すことができることを特徴とする外装容器。
【００２１】
（２）  女性陰唇間に挟み込むための陰唇間パッドを個別に内包している個別包装体を収納する外装容器であって、前記個別包装体を収納する第１本体を備えており、前記第１本体は、矩形の第１底面を有して当該第１底面により直立し得るものであり、前記第１底面における二組の対辺をそれぞれの稜線として立設された第１から第４の四つの側面が形成されており、前記第１底面と前記四つの側面で囲われる前記第１本体の上面において前記第１底面に対向して第１開口部が形成されており、前記第１底面における第１の辺を第１の稜線とする第１の側面と前記第１底面における第２の辺を第２の稜線とする第２の側面とは対向しており、前記個別包装体の２個以上は前記第１の側面と前記第２の側面との収納空間に当該個別包装体の厚さ方向に整列して収納されるものであり、前記第１開口部の面積は前記第１底面の面積より大きく形成されていることを特徴とする外装容器。
【００２２】
（３）  前記第１の側面と前記第２の側面との間隔は前記第１底面から前記第１開口部に向かうに従い広くなっていることを特徴とする（２）記載の外装容器。
【００２３】
（４）  前記第１底面における第３の辺を第３の稜線とする第３の側面と前記第１底面における第３の辺を第４の稜線とする第４の側面は平行に対向しており、前記第３の側面内壁と前記第４の側面内壁との間隔は前記個別包装体の横短辺の長さより大きいことを特徴とする（３）記載の外装容器。
【００２４】
（５）  前記第３の側面と前記第４の側面は、前記第１底面と各々直交していることを特徴とする（４）に記載の外装容器。
【００２５】
（６）  前記第３の側面と前記第４の側面は前記個別包装体の横短辺に接していることを特徴とする（５）記載の外装容器。
【００２６】
（７）  前記陰唇間パッドを内包する前記個別包装体は、当該陰唇間パッドを取り出すための開封口を形成しており、前記開封口が同方向に向くように前記個別包装体が厚み方向に整列されていることを特徴とする（１）から（６）のいずれかに記載の外装容器。
【００２７】
（８）  前記第１開口部を着脱自在に覆う第１蓋体を備えていることを特徴とする（２）から（７）のいずれかに記載の外装容器。
【００２８】
（９）  前記第１本体における前記四つの側面のいずれか一つの上部で結合しており、当該第１開口部を覆うように開閉することができる第１蓋体を備えていることを特徴とする（２）から（７）のいずれかに記載の外装容器。
【００２９】
（１０）  紙カートンで形成されていることを特徴とする（７）に記載の外装容器。
【００３０】
（１１）  前記第１の側面と前記第２の側面のそれぞれに対向する第１と第２の折込み部が形成されており、前記第１の側面と前記第２の側面との間隔は前記第１底面から前記第１と第２の折込み部に向かうに従い狭くなっており、前記第１の側面と前記第２の側面との間隔は前記第１と第２の折込み部から前記第１開口部に向かうに従い広くなっていることを特徴とする（４）から（１０）のいずれかに記載の外装容器。
【００３１】
（１２）  展開型紙を折り曲げて組み立てられる外装容器であって、前記第１の側面に第１の稜線と相反する第５の稜線が形成されており、前記第２の側面に第２の稜線と相反する第６の稜線が形成されており、前記第３の側面に第３の稜線と相反する第７の稜線が形成されており、前記第４の側面に第４の稜線と相反する第８の稜線が形成されており、前記第１から第４の稜線とそれぞれ相反する前記第５から第８の稜線の中間に、前記第１から第４の稜線とそれぞれ平行する第１から第４の折り目が前記第１から第４の側面に連続して形成されており、前記第３と第４の稜線幅より狭い幅をもつ第１と第２の狭幅折り目が前記第３と第４の折り目の線上にそれぞれ形成されており、前記第１の狭幅折り目における第１と第２の端点と前記第１の稜線における第１と第２の稜とをそれぞれ結ぶ第１と第２の傾斜折り目と、前記第１の狭幅折り目における第１と第２の端点と前記第５の稜線における第１と第２の稜とをそれぞれ結ぶ第３と第４の傾斜折り目とが前記第３の側面にそれぞれ形成されており、前記第２の狭幅折り目における第１と第２の端点と前記第２の稜線における第１と第２の稜とをそれぞれ結ぶ第５と第６の傾斜折り目と、前記第２の狭幅折り目における第１と第２の端点と前記第６の稜線における第１と第２の稜とをそれぞれ結ぶ第７と第８の傾斜折り目とが前記第４の側面に形成されており、第１と第３と第５と第７の傾斜折り目で区画される前記第１の折込み部と、第２と第４と第６と第８の傾斜折り目で区画される前記第２の折込み部とがそれぞれ形成されていることを特徴とする（１１）に記載の外装容器。
【００３２】
（１３）  展開型紙を折り曲げて組み立てられる外側ケースと、展開型紙を折り曲げて組み立てられる内側ケースと、で構成されており、前記外側ケースは前記第１本体の外形を実質的に形成しており、前記内側ケースは前記外側ケースに内接するように形成されており、前記内側ケースにおける対向する第１と第２の側面板はそれぞれ第５と第６の折り目で前記内側ケースにおける内側から外側に折り曲げられてそれぞれの縁部は前記内側ケースの上面から突出しており、前記外側ケースは前記内側ケースにおける前記第１と第２の側面板を移動自在に保持しており、前記第１の側面板の端部を引き上げると前記第１の側面板に形成されている互いに平行な第５と第７と第９の折れ目で折れ曲がり三角形状の第１の突出部を形成し、前記第２の側面板の端部を引き上げると前記第２の側面板に形成されている互いに平行な第６と第８と第１０の折れ目で折れ曲がり三角形状の第２の突出部を形成し、前記第１の突出部と前記第２の突出部が互いに近づくことを特徴とする（１０）に記載の外装容器。
【００３３】
（１４）  前記個別包装体の２個以上が厚さ方向に複数列に整列されて前記第１本体に収納されていることを特徴とする（２）から（１０）のいずれかに記載の外装容器。
【００３４】
（１５）  前記個別包装体の２個以上が厚さ方向に複数列に整列されて前記第１本体に収納されている外装容器であって、前記複数列間に仕切り板を備えていることを特徴とする（１４）記載の外装容器。
【００３５】
（１６）  身体側に面する透水性の表面側シートと反身体側となる衣服側に面する裏面側シートとが体液を吸収する吸収体を内包させた形態で接合され、女性陰唇間に挟み込むための陰唇間パッドが内包されている個別包装体が収納される外装容器であって、前記陰唇間パッドは、前記裏面側シートの反身体側には、当該裏面側シートの長手方向の各側部において１箇所以上の接合部分と、当該裏面側シートの短手方向において非接合部分と、をもって接合されたミニシート片を備え、前記非接合部分が、前記ミニシート片と前記裏面側シートとの間において、指の挿入が可能な指挿入用口を形成していることを特徴とする（１）から（１５）のいずれかに記載の外装容器。
【００３６】
（１７）  前記陰唇間パッドを取り出すための開封口を有し、前記陰唇間パッドを内包した個別包装体が収納される外装容器であって、前記個別包装体を開封したときには、前記陰唇間パッドの前記指挿入用口が開くように前記陰唇間パッドが折り畳まれて前記個別包装体に内包されていることを特徴とする（１）から（１６）のいずれかに記載の外装容器。
【００３７】
（１８）  生理用品を収納するための生理用品用外装容器であって、前記生理用品を収納するための第２本体を備えており、前記第２本体は、矩形の第２底面を有して当該第２底面により直立し得るものであり、前記第２底面における二組の対辺をそれぞれの稜線として立設された第５から第８の四つの側面が立設されており、前記第２底面と前記四つの側面で囲われる前記第２本体の上面において、前記第２底面に対向して形成された第２開口部が形成されており、前記第２底面における第１の辺を第１の稜線とする第５の側面と前記２底面における第２の辺を第２の稜線とする第６の側面とは対向しており、前記第５の側面と前記第６の側面との間隔は前記第２底面から前記第２開口部に向かうに従い狭くなっており、前記第２底面における第３の辺を第３の稜線とする第７の側面と前記第２底面における第４の辺を第４の稜線とする第８の側面とは平行に対向しており、前記第７の側面と前記第８の側面は前記第２底面と各々直交していることを特徴とする生理用品用外装容器。
【００３８】
（１９）  （５）記載の外装容器における第１の側面と、前記第５の側面とは相補する形状を形成していることを特徴とする（１８）記載の生理用品用外装容器。
【００３９】
（２０）  （５）記載の外装容器における第１の側面と第１底面とで鈍角が形成されており、前記第５の側面と前記第２底面とで鋭角とが形成されており、前記鈍角と前記鋭角の和が１８０度であることを特徴とする（１９）記載の生理用品用外装容器。
【００４０】
（２１）  （５）記載の外装容器における第１底面から第１開口部までの高さと、前記第２底面から前記第２開口部までの高さとは同じであることを特徴とする（２０）記載の生理用品用外装容器。
【００４１】
（２２）  （５）記載の外装容器における第１本体の第３の側面と、前記第２本体の前記第７の側面とが同一平面上に並列配置される場合に、（５）記載の外装容器における第１本体の第３の側面と、前記第２本体の前記第７の側面とに一体に図柄が表示されることを特徴とする（２０）又は（２１）のいずれかに記載の生理用品用外装容器。
【００４２】
（２３）  紙カートンで形成されていることを特徴とする（１８）から（２２）のいずれかに記載の生理用品用外装容器。
【００４３】
（１）記載の発明によれば、この外装容器は、「女性陰唇間に挟み込むための陰唇間パッドを個別に内包している個別包装体を収納する外装容器であって、前記個別包装体を取り出すための第１開口部を形成している収納空間を形成している第１本体によって構成されており、前記個別包装体の２個以上が厚さ方向に整列して前記収納空間に収納されるものであり、収納されている前記個別包装体を把持して前記個別包装体の長手方向に取り出すことができる」ことを特徴としてよい。
【００４４】
「陰唇間パッドを個別に内包している個別包装体」とは、「陰唇間パッド」と「個別包装体」が一対一になっているとしてよい。そして、「個別包装体」は開封されるまで「陰唇間パッド」を個別に内包していると考えてよい。「個別包装体を取り出すための第１開口部」とは、「第１開口部」に「個別包装体」を人手によって取り出すと考えてよい。第１本体は、収納空間を形成している面を有していると考えてよい。
【００４５】
個別包装体は長手方向（縦方向）と短手方向（横方向）を有していると考えてよく、長手方向と短手方向が形成される面に厚さ方向をもつと考えてよい。「個別包装体の２個以上が厚さ方向に整列して」とは、個別包装体同士が重なって厚さ方向に整列する場合を含み、あるいは一定の間隔を空けて個別包装体同士が厚さ方向に整列する場合を含み、さらに、個別包装体同士が部分的に重なって厚さ方向に整列する場合を含み、複数の個別包装体が無秩序にいわゆるバラバラの状態に、あるいはランダムな状態で収納されていることを意味していない。
【００４６】
このような外装容器から個別包装体を長手方向に取り出すときは、非常に取り出し易い状態であるという利点がある。また、取り出した残りの個別包装体はこの外装容器に整列して収納されており、いわゆるバラバラの状態になっているわけではなく、素早く個別包装体を取り出せるという効果がある。
【００４７】
（２）記載の発明によれば、この外装容器は、「女性陰唇間に挟み込むための陰唇間パッドを個別に内包している個別包装体を収納する外装容器であって、前記個別包装体を収納する第１本体を備えており、前記第１本体は、矩形の第１底面を有して当該第１底面により直立し得るものであり、前記第１底面における二組の対辺をそれぞれの稜線として立設された第１から第４の四つの側面が形成されており、前記第１底面と前記四つの側面で囲われる前記第１本体の上面において前記第１底面に対向して第１開口部が形成されており、前記第１底面における第１の辺を第１の稜線とする第１の側面と前記第１底面における第２の辺を第２の稜線とする第２の側面とは対向しており、前記個別包装体の２個以上は前記第１の側面と前記第２の側面との収納空間に当該個別包装体の厚さ方向に整列して収納されるものであり、前記第１開口部の面積は前記第１底面の面積より大きく形成されている」ことを特徴としてよい。
【００４８】
「第１本体」と「第１底面」と「第１開口部」とは、生理用品用外装容器における「第２本体」と「第２底面」と「第２開口部」と区別するためのものであって、「本体」と「底面」と「開口部」のそれぞれに序列があるわけでない。「前記個別包装体を出し入れするための第１開口部を形成している収納空間」は、第１底面と、当該第１底面から立設する第１から第４の四つの側面で仕切り形成されていると考えてよい。
【００４９】
さらに、「矩形の第１底面」は一対の辺が他の一対の辺より長い長方形でもよく、正方形であってもよい。第１底面における第３の辺と第４の辺が、第１底面における第１の辺と第２の辺より長い長方形で第１底面が形成されることが好ましく、第３の辺と第４の辺が第１の辺と第２の辺の３倍以上になることが、外装容器の姿勢が安定でき、より好ましい。
【００５０】
「第１開口部の面積は第１底面の面積より大きく形成されている」とは、個別包装体が外装容器内に傾いて保持されると考えてよい。そして、この外装容器に収納された個別包装体は個別包装体の厚み方向に整列して収納されているので、複数個の個別包装体が外装容器に収容された場合に、第１開口部において指挿入空間が生成されると考えてよい。又、個別包装体を取り出し易くなると考えてよい。
【００５１】
（３）記載の発明によれば、この外装容器は、「前記第１の側面と前記第２の側面との間隔は前記第１底面から前記第１開口部に向かうに従い広くなっている」ことを特徴としてよい。
【００５２】
第１の側面と第２の側面はそれぞれ傾斜面を形成しているが、第１の側面と第２の側面はそれぞれ平面であることを限定していない。第１の側面と第２の側面はそれぞれ収納空間に向かって僅かに湾曲してもよく、第１の側面と第２の側面はそれぞれ収納空間外に僅かに湾曲してもよい。さらに、第１の側面と第２の側面にそれぞれ折込み部を形成し、前記折込み部が必要に応じて互いに近づくようにしてもよい。
【００５３】
第１本体に個別包装体が複数個収納された状態では、当該個別包装体が第１底面から第１開口部に向かうに従い放射状に広がると考えてよい。そして、この外装容器に収納された個別包装体は個別包装体の厚み方向に整列して収納されている。更に、前記外装容器の前記外壁が、底部から垂直方向に広がるように構成されているため、外装容器に収納された個別包装体が開口部付近で、放射状に広がっている。このため、開口部において個別包装体間に空隙が形成される。このことより、前記空隙は前記外装容器から個別包装体を取り出す際、整列した個別包装体の列に指を挿入するスペースが生成され、個別包装体を取り出しやすくなるという利点がある。
【００５４】
このことは、個別包装体を個別に取り出すときに特に便利である。そして、本発明に係る外装容器は、外装容器に収納された個別包装体を整列して維持でき、更に外装容器から個別包装体を素早く取り出すことができる。
【００５５】
（４）記載の発明によれば、この外装容器は、「前記第１底面における第３の辺を第３の稜線とする第３の側面と前記第１底面における第３の辺を第４の稜線とする第４の側面は平行に対向しており、前記第３の側面内壁と前記第４の側面内壁との間隔は前記個別包装体の横短辺の長さより大きい」ことを特徴としてよい。
【００５６】
「第３の側面内壁と第４の側面内壁との間隔は個別包装体の横短辺の長さより大きい」とは、「第３の側面内壁と第４の側面内壁との間隔は個別包装体の横短辺の長さより僅かに大きい」と考えてよく、間隙が比較的大きいことを意味していない。「僅かに大きい」とは、「平行に対向している第３の側面と第４の側面」が個別包装体の長手方向の側面に接触可能と考えてもよく、個別包装体の短手方向（横短辺）が「平行に対向している第３の側面と第４の側面」によって規制されると考えてよい。
【００５７】
「第３の側面内壁と第４の側面内壁との間隔は個別包装体の横短辺の長さより僅かに大きい」とは、個別包装体の短手方向（横短辺）が「平行に対向している第３の側面と第４の側面」によって規制されつつも、個別包装体の自重又は外装容器に与える振動によって、個別包装体が外装容器内を移動可能な間隙を有すると考えてよい。
【００５８】
このことより、外装容器内で個別包装体が移動するとき、個別包装体と個別包装体が接している外装容器の外壁との平行性が維持される。したがって、外装容器内で個別包装体がいわゆるバラバラになることなく、外装容器内での個別包装体の放射状に広がった整列の維持が可能である。また、このように個別包装体が常に放射状に広がって整列されていることにより、外装容器から個別包装体を素早く取り出すことができる。
【００５９】
（５）記載の発明によれば、この外装容器は、「前記第３の側面と前記第４の側面は、前記第１底面と各々直交している」ことを特徴としてよい。
【００６０】
このように外装容器が形成されることにより、長手方向（縦長辺）と短手方向（横短辺）とで形成される面を有する個別包装体の立位あるいは傾斜姿勢が安定して維持され、個別包装体を容易に取り出すことができる。
【００６１】
（６）記載の発明によれば、この外装容器は、「前記第３の側面と前記第４の側面は前記個別包装体の横短辺に接している」ことを特徴とよい。
【００６２】
「平行に対向している第３の側面と第４の側面」が個別包装体の長手方向の側面に部分的にまたは片辺のみが接触可能と考えてよく、個別包装体の短手方向（横短辺）が「平行に対向している第３の側面と第４の側面」によって規制されると考えてよい。
【００６３】
このことより、外装容器内で個別包装体が移動するとき、個別包装体と個別包装体が接している外装容器の外壁との平行性が維持される。したがって、外装容器内で個別包装体がいわゆるバラバラになることなく、外装容器内での個別包装体の放射状に広がった整列の維持が可能である。そして、最後の一つまで第３の側面と第４の側面との平行性が維持されることにより、外装容器から個別包装体を素早く取り出すことができる。
【００６４】
（７）記載の発明によれば、この外装容器は、「前記陰唇間パッドを内包する前記個別包装体は、当該陰唇間パッドを取り出すための開封口を形成しており、前記開封口が同方向に向くように前記個別包装体が厚み方向に整列されている」ことを特徴としてよい。
【００６５】
陰唇間パッドは長手方向と短手方向とで形成される「一方の面」に開封口を形成していると考えてよく、「一方の面の反対面」には開封口を形成していないと考えてよい。「一方の面」と「一方の面の反対面」は個別包装体の表面または裏面を意味してもよい。厚さ方向の面と考えてもよい。また、個別包装体の表面あるいは裏面は必ずしも平面ではなく、幅方向の中央部が僅かに膨らんでいると考えてよい。
【００６６】
このような陰唇間パッドを内包する個別包装体を、開封口を形成している面を揃えて外装容器に収納することによって、個別包装体の開封動作においては、開封動作の同一性が確保され、個別包装体における当初の開封動作と同じ要領で、次の個別包装体を開封することができる。
【００６７】
したがって、個別包装体の開封口を探すために、何度も持ち替える必要がなく、内包されている陰唇間パッドが、形崩れや潰れを発生するといったことを少なくできるだけでなく、陰唇間パッドを素早く外装容器から取り出して、身体に装着することができるという機動性がある。
【００６８】
（８）記載の発明によれば、この外装容器は、「前記第１開口部を着脱自在に覆う第１蓋体を備えている」ことを特徴としてよい。
【００６９】
「第１開口部を着脱自在に覆う第１蓋体」は透明体であってよい。この第１蓋体付き外装容器は、第１本体に異物（例えば、塵芥）の侵入を防止できて衛生的であり、第１蓋体が透明であるので個別包装体の残数を視認でき便利である。
【００７０】
「第１開口部を着脱自在に覆う第１蓋体」は第１本体とかん合してもよい。この第１蓋体付き外装容器は、第１本体に異物（例えば、塵芥）の侵入を防止できて衛生的であり、第１蓋体が第１本体に弾性をもって覆っているので、第１蓋体が安易に外れることがないという利点がある。
【００７１】
（９）記載の発明によれば、この外装容器は、「前記第１本体における前記四つの側面のいずれか一つの上部で結合しており、当該第１開口部を覆うように開閉することができる第１蓋体を備えている」ことを特徴としてよい。
【００７２】
第１蓋体は四つの側面のいずれか一つと一体にシート状に形成されてよく、第１蓋体は四つの側面のいずれか一つと折り曲げ線を形成し、前記折り曲げ線で第１蓋体が当該第１開口部を覆うように開閉してもよい。また、前記第１本体における前記四つの側面のいずれか一つと、第１蓋体を柔軟テープで貼着し、第１蓋体が当該第１本体と結合するようにしてもよい。
【００７３】
このように、第１本体と第１蓋体を四つの側面のいずれか一つの上部で結合することによって、第１蓋体が第１本体と分離することがなく、陰唇間パッドを内包した個別包装体を不使用時には、第１本体内に塵芥など異物の侵入を防止できることによって個別包装体を衛生的に保管でき、第１蓋体を開閉自在とすることにより個別包装体の取り出しも容易となる。
【００７４】
（１０）記載の発明によれば、この外装容器は、「紙カートンで形成されている」ことを特徴としてよい。
【００７５】
「紙カートン」とは、輸送用紙器を意味してよい。また、比較的小さい紙箱と考えてもよい。更に、容器を横方向に切断したときの断面形状が正方形や長方形などの多角形である多角形断面紙容器であるとしてもよい。この「紙カートン」は「ブランク」や「シート」を折り曲げ又は折り畳むことによって組み立ててもよい。そして、一枚のブランクからなる展開型紙を折り曲げて組み立てることにより多角形を形成してよく、２枚以上のブランクからなる展開型紙を折り曲げて相互に連結して組み立てることによって多角形を形成してよい。前記展開型紙は第１本体を形成しているものであってもよく、第１本体と第１蓋体を含むものであってもよく、糊代を含むものであってもよい。
【００７６】
「紙カートン」は、具体的には、例えば、３２０ｇ／平方メートルのコートボール紙を坪量＝１６０〜２５０ｇ／平方メートルのカード紙を素材としてよい。外装容器の素材が前記の坪量範囲未満であると外装容器の剛性が低くなりすぎて、物流時などの外部からの衝撃に対して外装容器の形状を保持することが困難となり、収納している陰唇間パッドを保護することもできなくなる可能性がある。逆に、外装容器の板紙が前記の坪量範囲を超えると、外装容器の剛性は高くなるが、コストが高くなるのであまり好ましくない。
【００７７】
このように外装容器を紙カートンで形成することによって、安価で軽量の外装容器が実現できる。更に、各稜線を折り曲げ線として適宜貼り付け代を設ければ外装容器の展開紙型の製作も可能となる。また、外装容器は紙カートンで形成しているので、外装容器をたたんで小さくでき、使用後の外装容器を廃棄するとき、容積を小さくして廃棄できる。
【００７８】
（１１）記載の発明によれば、この外装容器は、「前記第１の側面と前記第２の側面のそれぞれに対向する第１と第２の折込み部が形成されており、前記第１の側面と前記第２の側面との間隔は前記第１底面から前記第１と第２の折込み部に向かうに従い狭くなっており、前記第１の側面と前記第２の側面との間隔は前記第１と第２の折込み部から前記第１開口部に向かうに従い広くなっている」ことを特徴としてよい。
【００７９】
「第１の側面と第２の側面のそれぞれに対向する第１と第２の折込み部が形成されている外装容器」は、「前記第１開口部の面積は前記第１底面の面積より大きく形成されている外装容器」において、収納されている個別包装体の残量が少なくなったときに大きく傾いた個別包装体の姿勢をより立直状態に矯正する機能をもたせたと考えてよい。
【００８０】
この発明は、前記第１底面から第１開口部に向かうに従い第１の側面と第２の側面との間隔は広くなっている外装容器であって、第１と第２の折込み部を形成することにより外装容器を変形させると考えてよい。また、第１と第２の折込み部は屈曲しても湾曲してもよく、台形状に変形してもよい。
【００８１】
このように、外装容器を変形させることにより、外装容器内の残り少なくなった個別包装体の傾斜を立ち上げ、個別包装体を最後の１個まで素早く確実に取り出すことを可能とさせる。
【００８２】
（１２）記載の発明によれば、この外装容器は、「展開型紙を折り曲げて組み立てられる外装容器であって、前記第１の側面に第１の稜線と相反する第５の稜線が形成されており、前記第２の側面に第２の稜線と相反する第６の稜線が形成されており、前記第３の側面に第３の稜線と相反する第７の稜線が形成されており、前記第４の側面に第４の稜線と相反する第８の稜線が形成されており、前記第１から第４の稜線とそれぞれ相反する前記第５から第８の稜線の中間に、前記第１から第４の稜線とそれぞれ平行する第１から第４の折り目が前記第１から第４の側面に連続して形成されており、前記第３と第４の稜線幅より狭い幅をもつ第１と第２の狭幅折り目が前記第３と第４の折り目の線上にそれぞれ形成されており、前記第１の狭幅折り目における第１と第２の端点と前記第１の稜線における第１と第２の稜とをそれぞれ結ぶ第１と第２の傾斜折り目と、前記第１の狭幅折り目における第１と第２の端点と前記第５の稜線における第１と第２の稜とをそれぞれ結ぶ第３と第４の傾斜折り目とが前記第３の側面にそれぞれ形成されており、前記第２の狭幅折り目における第１と第２の端点と前記第２の稜線における第１と第２の稜とをそれぞれ結ぶ第５と第６の傾斜折り目と、前記第２の狭幅折り目における第１と第２の端点と前記第６の稜線における第１と第２の稜とをそれぞれ結ぶ第７と第８の傾斜折り目とが前記第４の側面に形成されており、第１と第３と第５と第７の傾斜折り目で区画される前記第１の折込み部と、第２と第４と第６と第８の傾斜折り目で区画される前記第２の折込み部とがそれぞれ形成されている」ことを特徴としてよい。
【００８３】
より具体的には、第３の側面に形成されている第１と第２の下向きの傾斜折り目をそれぞれ「ＳＬ１」、「ＳＬ２」とし、第３の側面に形成されている第３と第４の上向きの傾斜折り目をそれぞれ「ＳＬ３」、「ＳＬ４」とし、第４の側面に形成されている第５と第６の下向きの傾斜折り目をそれぞれ「ＳＬ５」、「ＳＬ６」とし、第４の側面に形成されている第７と第８の上向きの傾斜折り目をそれぞれ「ＳＬ７」、「ＳＬ８」とする。そして、「第１の側面−ＳＬ１−ＳＬ３−ＳＬ５−ＳＬ７」で第１の折込み部は区画される。同様に、「第２の側面−ＳＬ２−ＳＬ４−ＳＬ８−ＳＬ８」で第２の折込み部は区画される。
【００８４】
そして、第１の折り目と第２の折り目とが近づく方向に力を加えると、第１の狭幅折り目と第２の狭幅折り目は相反する方向に移動する（互いに遠ざかる方向に移動する）。つまり、第１の折込み部と第２の折込み部が形成される。また、第１の折り目と２の折り目の間隔は前記第１の底面の長辺より短くなるように移動する（互いに近づく方向に移動する）。つまり、第１の折込み部と第２の折込み部が形成される。
【００８５】
このように外装容器が変形することによって、第１本体に収納される陰唇間パッドを内包する個別包装体が残り少なくなった場合に、残り少なくなった個別包装体の傾倒角度が第１の折り目と前記第２の折り目とが互いに近づくことにより、その姿勢を修正できる。すなわち、残り少なくなった個別包装体はその傾斜角度をより立直状態に修復され、当該個別包装体を長手方向に素早く取り出すことができる。
【００８６】
（１３）記載の発明によれば、この外装容器は、「展開型紙を折り曲げて組み立てられる外側ケースと、展開型紙を折り曲げて組み立てられる内側ケースと、で構成されており、前記外側ケースは前記第１本体の外形を実質的に形成しており、前記内側ケースは前記外側ケースに内接するように形成されており、前記内側ケースにおける対向する第１と第２の側面板はそれぞれ第５と第６の折り目で前記内側ケースにおける内側から外側に折り曲げられてそれぞれの縁部は前記内側ケースの上面から突出しており、前記外側ケースは前記内側ケースにおける前記第１と第２の側面板を移動自在に保持しており、前記第１の側面板の端部を引き上げると前記第１の側面板に形成されている互いに平行な第５と第７と第９の折れ目で折れ曲がり三角形状の第１の突出部を形成し、前記第２の側面板の端部を引き上げると前記第２の側面板に形成されている互いに平行な第６と第８と第１０の折れ目で折れ曲がり三角形状の第２の突出部を形成し、前記第１の突出部と前記第２の突出部が互いに近づく」ことを特徴としてよい。
【００８７】
この外装容器は、外装容器内の残り少なくなった個別包装体を最後の１個まで取り出すことを容易にすると考えてよい。また、この外装容器は、第１蓋体を設けてもよい。第１と第２の側面板における第７の折れ目と第８の折れ目を形成することなく、第１と第２の側面板の端部を引き上げたときに、第１及び第２の突出部が円弧を形成し、第１の突出部と前記第２の突出部が互いに近づくようにしてもよい。
【００８８】
このようにして、第１の突出部と第２の突出部が互いに近づくことにより、外装容器の内部を変形させ、外装容器内の残り少なくなった個別包装体の傾斜を立ち上げ、個別包装体を最後の１個まで素早く確実に取り出すことを可能とさせる。
【００８９】
（１４）記載の発明によれば、この外装容器は、「前記個別包装体の２個以上が厚さ方向に複数列に整列されて前記第１本体に収納されている」ことを特徴としてよい。
【００９０】
個別包装体の２個以上が厚さ方向に複数列に整列されて収容される外装容器は、各列において個別包装体が放射状に広がって収容されていると考えてよい。したがって、第１本体における第３及び第４の側面は個別包装体が複数列に収納される幅を有している。この外装容器は２列以上が配列されてよい。また、外装容器に第１蓋体を設けてもよい。
【００９１】
個別包装体は各列において放射状に広がって収容されており、個別包装体の一つを取り出すための空間が容易に形成され、収納されている個別包装体を把持して個別包装体の長手方向に素早く確実に取り出すことができる。更に、１つの外装容器に収納できる個別包装体が増えるため、廃棄物としての外装容器の廃棄量を減らすという効果がある。
【００９２】
（１５）記載の発明によれば、この外装容器は、「前記個別包装体の２個以上が厚さ方向に複数列に整列されて前記第１本体に収納されている外装容器であって、前記複数列間に仕切り板を備えている」ことを特徴としてよい。
【００９３】
個別包装体の２個以上が厚さ方向に複数列に整列されて収容される外装容器は、各列において個別包装体が放射状に広がって収容されていると考えてよい。複数列とは２列以上を意味してよい。この外装容器に蓋体を設けてもよい。仕切り板はシート状の薄板と考えてよく、第１本体を紙カートンで組み立てた後に、紙カートンの仕切り板を当該第１本体に仕切るように貼着してもよい。
【００９４】
このように、個別包装体が方向性をもって整列され、外装容器に収納されていれば、個別包装体１を任意に移動して指を挿入できる空間を作りだすことが可能となる。したがって、個別包装体を変形させることなく素早く確実に取り出すことができる。そして、個別包装体の列間に仕切り板を配置することにより、個別包装体が列間に相互に入り乱れることも少なくなる。また、仕切り板が列ごとに個別包装体をガイドするため、最後の１つまで個別包装体を容易に素早く取り出すことができるという効果がある。
【００９５】
（１６）記載の発明によれば、この外装容器は、「身体側に面する透水性の表面側シートと反身体側となる衣服側に面する裏面側シートとが体液を吸収する吸収体を内包させた形態で接合され、女性陰唇間に挟み込むための陰唇間パッドであって、前記裏面側シートの反身体側には、当該裏面側シートの長手方向の各側部において１箇所以上の接合部分と、当該裏面側シートの短手方向において非接合部分と、をもって接合されたミニシート片を備え、前記非接合部分が、前記ミニシート片と前記裏面側シートとの間において、指の挿入が可能な指挿入用口を形成してなる陰唇間パッドが内包されている個別包装体が収納される」ことを特徴としてよい。
【００９６】
この外装容器に収納される個別包装体に内包される陰唇間パッドは、女性陰唇間に無理なく挟み込むことが可能なことを特徴としてよい。さらに、この陰唇間パッドは、指を挿入可能なミニシート片を備えていることを特徴としてよい。したがって、目視で確認することが難しい陰唇間に陰唇間パッドを装着する際、まず、陰唇間パッドに指を挿入し、挿入した指で陰唇間パッドを一時的に保持し、触覚の優れた指先の内側で、目視確認が困難な陰唇間スペースに自然な行為として装着することができる。
【００９７】
このように、陰唇間パッドをスムーズに装着できるため、目視が困難な装着位置に繰り返し陰唇間パッドで探りながら装着することがなく、装着動作を繰り返すことによる陰唇間パッドの形崩れや潰れといった変形を少なくすることができる。かつ、手早く装着することができる。この外装容器は、このような陰唇間パッドが内包されている個別包装体を収納するのに適合している。
【００９８】
（１７）記載の発明によれば、この外装容器は、「前記陰唇間パッドを取り出すための開封口を有し、前記陰唇間パッドを内包した個別包装体であって、前記個別包装体を開封したときには、前記陰唇間パッドの前記指挿入用口が開くように前記陰唇間パッドが折り畳まれて内包された個別包装体が収納される」ことを特徴としてよい。
【００９９】
この外装容器に収納される個別包装体は、陰唇間パッドが陰唇間に着用する形態で内包されているため、陰唇間へ挿入するときに変形することも少なくできるという効果がある。また、陰唇間パッドは、個別包装体を開封したときには、指挿入用口が開くように個別包装体に陰唇間パッドが縦軸方向に沿って二つ折りにされて折り畳まれているとしてよい。陰唇間パッドを個別包装体から取り出し、二つ折りにされた陰唇間パッドを開くと挿入用口が成生されるとしてよい。
【０１００】
このため、陰唇間パッドの装着に手間取ることがない。装着動作がスムーズになり、陰唇間パッドを持ち替えて指挿入用口を形成したりする必要がなく、何度も持ち替えることで陰唇間パッドが形崩れしたり、潰れてしまうといったことを少なくできる。
【０１０１】
この陰唇間パッドは、陰唇間パッドの指挿入用口が、個別包装体の開封口に向って位置するように個別包装体内に配置されていることを特徴としてよい。このため、個別包装体から陰唇間パッドを取り出して、直ちに指挿入用口に指を挿入できる。この外装容器は、このような陰唇間パッドが内包されている個別包装体を収納するのに適合している。
【０１０２】
（１８）記載の発明によれば、この生理用品用外装容器は、「生理用品を収納するための生理用品用外装容器であって、前記生理用品を収納するための第２本体を備えており、前記第２本体は、矩形の第２底面を有して当該第２底面により直立し得るものであり、前記第２底面における二組の対辺をそれぞれの稜線として立設された第５から第８の四つの側面が立設されており、前記第２底面と前記四つの側面で囲われる前記第２本体の上面において、前記第２底面に対向して形成された第２開口部が形成されており、前記第２底面における第１の辺を第１の稜線とする第５の側面と前記２底面における第２の辺を第２の稜線とする第６の側面とは対向しており、前記第５の側面と前記第６の側面との間隔は前記第２底面から前記第２開口部に向かうに従い狭くなっており、前記第２底面における第３の辺を第３の稜線とする第７の側面と前記第２底面における第４の辺を第４の稜線とする第８の側面とは平行に対向しており、前記第７の側面と前記第８の側面は前記第２底面と各々直交している」ことを特徴としてよい。
【０１０３】
前記生理用品は、例えば、生理ナプキンを個別に収納する個別包装体と考えてよい。第１本体と第２本体は、それぞれの底面と上面が逆さの関係の形状になっていると考えてよい。上面開口部に較べて底面に広くなっている第２本体は、台形形状になっており重心が底面に近く安定性がよい。台形形状ということであれば、視覚的にも安定感がある。
【０１０４】
そして、陰唇間パッドを個別に内包している個別包装体を収納する第１本体を有する外装容器と、生理用ナプキンを個別に内包している個別包装体を収納する第２本体を有する生理用品用外装容器とを並列に陳列すれば、利用者は陰唇間パッドか生理用ナプキンのどちらか一方を、あるいは両方を購入でき便利である。
【０１０５】
更に、販売者においては、第１本体と第２本体をセットで配置できるメリット（例えば、梱包等）も大きく、店頭あるいは店内において、第１本体と第２本体をセットで陳列することにより、販売促進されることが期待できる。
【０１０６】
（１９）記載の発明によれば、この生理用品用外装容器は、「（５）記載の外装容器における第１の側面と、前記第５の側面とは相補する形状を形成している」ことを特徴としてよい。
【０１０７】
「相補する形状」とは、（５）記載の外装容器における第１の側面と、第５の側面とがそれぞれ合同の矩形を形成していると考えてもよい。少なくとも、（５）記載の外装容器における第３の側面と第４の側面が形成する第１本体の厚さと、生理用品用外装容器における第７の側面と第８の側面が形成する第２本体の厚さとは同じであると考えてよい。
【０１０８】
外装容器の厚さと生理用品用外装容器の厚さを同じにすることにより、例えば、外装容器と生理用品用外装容器とを混載する場合に、面積の広いほうを下にしてそれぞれ積載すれば、無駄なスペースをとらずに積載可能となる。
【０１０９】
（２０）記載の発明によれば、この生理用品用外装容器は、「（５）記載の外装容器における第１の側面と第１底面とで鈍角が形成されており、前記第５の側面と前記第２底面とで鋭角とが形成されており、前記鈍角と前記鋭角の和が１８０度である」ことを特徴としてよい。
【０１１０】
「鈍角と鋭角の和が１８０度である」とは、外装容器における鈍角斜面と、生理用品用外装容器における鋭角斜面とが密着可能であると考えてよい。生理用品用外装容器の鋭角斜面をこのように形成することにより、生理用品用外装容器と外装容器を並列配置したときに横幅方向にスペースを取らないというメリットがある。
【０１１１】
（２１）記載の発明によれば、この生理用品用外装容器は、「（５）記載の外装容器における第１底面から第１開口部までの高さと、前記第２底面から前記第２開口部までの高さとは同じである」ことを特徴としてよい。
【０１１２】
このように、外装容器の高さと生理用品用外装容器の高さを同じとすることにより、例えば、外装容器と生理用品用外装容器とを混載する場合に、高さ方向にそれぞれ積載すれば、無駄なスペースをとらずに積載可能となる。さらに、外装容器と生理用品用外装容器とを一組にして陳列する場合に、視覚的に一体感が醸し出される。
【０１１３】
（２２）記載の発明によれば、この生理用品用外装容器は、「（５）記載の外装容器における第１本体の第３の側面と、前記第２本体の前記第７の側面とが同一平面上に並列配置される場合に、請求項４記載の外装容器における第１本体の第３の側面と、前記第２本体の前記第７の側面とに一体に図柄が表示される」ことを特徴としてよい。
【０１１４】
「一体の図柄」とは、例えば、第１本体の第３の側面と第２本体の第７の側面とが「同じ模様」であってもよく、「ナイフとフォーク」のように組となった図柄でもよく、第３の側面と第７の側面を一つの画面として図柄（例えば、キャラクタ）が表示されてもよい。
【０１１５】
このように一組の外装容器において、一体の図柄を表示することによって、消費者は組となった外装容器の内容物が陰唇間パッドと生理用ナプキンといった使用目的を同じとする生理用品であることを視覚容易に認識できる。
【０１１６】
（２３）記載の発明によれば、この生理用品用外装容器は、「紙カートンで形成されている」ことを特徴としてよい。
【０１１７】
このように生理用品用外装容器を紙カートンで形成することによって、安価で軽量の生理用品用外装容器が実現できる。更に、各稜線を折り曲げ線として適宜貼り付け代を設ければ外装容器の展開紙型の製作も可能となる。また、生理用品用外装容器は紙カートンで形成しているので、生理用品用外装容器をたたんで小さくでき、使用後の生理用品用外装容器を廃棄するとき、容積を小さくして廃棄できる。
【０１１８】
【発明の実施の形態】
以下、図面に基づき本発明の実施の形態を説明する。図１は、外装容器に収納される個別包装体を示す図であり、図１（ａ）は個別包装体の斜視図、図１（ｂ）は個別包装体の側面図である。図１において、個別包装体１は実質的に縦長で長手方向と短手方向に形成される面に厚みを有する形状を形成している。個別包装体１の輪郭は、内包している陰唇間パッドの形状により選択されるが、長方形、台形、楕円形、半月形等の任意の形状を選ぶことができる。
【０１１９】
図１は、縦長形状の陰唇間パッドを個別に内包している個別包装体１を示している。陰唇間パッドは女性陰唇間に挟み込むためのものである。個別包装体１は縦長辺と横短辺とで形成される面１１Ａ及び１１Ｂが形成されている。面１１Ａ及び１１Ｂは一方を表面とすれば反対面は裏面となる。面１１Ａには、陰唇間パッドを取り出すための開封口１２が形成されている。
【０１２０】
図２は個別包装体の外装容器となる第１本体の外観図である。次に、図２の構成を説明する。図２において、第１本体２０は長方形の第１底面２１を有して当該第１底面２１により直立し得ている。第１底面２１には、第１底面２１の二組の対辺をそれぞれの稜線とする四つの側面２３〜２６が立設されている。第１底面２１と四つの側面２３〜２６で囲われる第１本体２０の上面２２は、第１底面２１に対向する第１開口部２２Ａが形成されている。なお、第１本体２０は正方形の第１底面２１を有することを含むものであるが、実施形態においては、第１本体２０は長方形の第１底面２１を有しているものとして説明する。
【０１２１】
第１本体２０は、個別包装体１を取り出すための第１開口部２２Ａを形成している収納空間を形成している。外装容器はこのような第１本体２０によって構成されている。そして、第１開口部２２Ａを介して前記収納空間から個別包装体１が取り出される。第１本体２０は、個別包装体１の２個以上が厚さ方向に整列して前記収納空間に収納されるものであり、収納されている個別包装体１を把持して個別包装体１の長手方向に取り出すことができる。
【０１２２】
図２の実施形態において、第１底面２１の第１の短辺を稜線とする側面２３と第１底面２１の第２の短辺を稜線とする側面２４は対向しており、側面２３と側面２４との間隔は第１底面２１から第１開口部２２Ａとなる上面２２に向かうに従い広くなっている。第１開口部の面積は第１底面の面積より大きく形成されている。言い換えれば、前記収納空間の形状は第１開口部２２Ａを上にして置いた状態で上広がりとなるような上辺切り欠き略台形形状であってよい。
【０１２３】
図２において、個別包装体１の２個以上は当該個別包装体１の縦長辺と横短辺とで形成されている面１１Ａ及び１１Ｂ（図１参照）の両側面が、側面２３と側面２４に向かい合うようにして第１本体２０に整列して収納されている。
【０１２４】
第１本体２０に個別包装体１が複数個収納された状態では、複数個の個別包装体１が２１底面から第１開口部２２Ａに向かうに従い放射状に広がり、第１開口部２２Ａから個別包装体１を取り出すことができる。
【０１２５】
また、図２において、第１底面２１の第１の長辺を稜線とする側面２５と第１底面２１の第２の長辺を稜線とする側面２６は平行に対向し、側面２５内壁と側面２６内壁との間隔は個別包装体１の横短辺の長さより僅かに大きくなっている。また、側面２５と側面２６は、第１底面２１と各々直交している。
【０１２６】
図２において、第１本体２０の上面２２側にある個別包装体１の上端部周辺には空隙ができる。個別包装体１は、第１本体２０の第１底面２１側にある個別包装体１の下端部を支点に、第１開口部２２Ａ側における個別包装体１の上端部が厚み方向に移動できる。第１本体２０内では、全ての個別包装体１が規則的に方向性をもって移動できるため、任意の個別包装体１を取り出すべく指が侵入可能な空間を形成可能となる。
【０１２７】
図２において、第１本体２０から柔軟な陰唇間パッドを内包した個別包装体１を取り出すとき、特に、最初の個別包装体１を第１本体２０から取り出すときに、第１本体２０の第１開口部２２Ａから指を入れ、取り出すべき個別包装体１とその隣の個別包装体１または側壁の間に指を侵入しても、指を侵入した箇所には容易に空間が形成されるため、侵入した指で周囲の個別包装体１を押し潰すことなく個別包装体１を取り出すことができる。
【０１２８】
次に、図２における作用を説明する。図３は、図２における個別包装体１の状態変化図である。図３（ａ）は、複数の個別包装体１が第１本体２０内で均等に配列された状態図である。図３（ｂ）は、左側２枚の個別包装体１と残りの個別包装体１との間に第１開口部２２Ａ側に間隙Ｓが形成された状態図である。図３（ｃ）は、右側３枚の個別包装体１と残りの個別包装体１との間に第１開口部２２Ａ側に間隙Ｓが形成された状態図である。図３（ｄ）は、左側４枚目の個別包装体１を指でつまみ出す状態図である。
【０１２９】
図３に示されるように、個別包装体１は方向性をもって第１本体２０内に整列しているため、素早く確実に取り出すことができる。また、間隙Ｓは任意の位置でよく、取り出したい個別包装体１の収納位置に関係なく、第１開口部２２Ａから取り出し可能となる。どの位置に存在する個別包装体１を取り出すにしても、個別包装体１間または個別包装体１と側壁との間に指を侵入し得る空間を発生することができる。
【０１３０】
更に、個別包装体１が第１本体２０内を効率よく移動できるため、第１本体２０と個別包装体１の間隙Ｓは、指を侵入可能な最小限の間隙でよく、輸送時などの第１本体２０に衝撃が加わっても、過剰な空間で個別包装体１が移動し、お互いに様々な角度でぶつかり合うといったことがない。したがって、内包している陰唇間パッドの形崩れや潰れなどの変形を発生する可能性も抑えられる。
【０１３１】
図４は、従来技術で説明された陰唇間パッド（ｅｎｖｉｖｅ）用の外装容器の上面斜視図である。図４に示されるように楕円形状の開口部を形成している外装容器７では、実質的に長手方向と短手方向とに厚みを有する個別包装体８を、規則正しく整列して収納することが困難であり、個別包装体８の長手方向と短手方向で形成される面に、図２で示されたように個別包装体８に方向性を持たせて整列することができない。
【０１３２】
したがって、個別包装体８の周囲にはランダムに大小様々な間隙が個別包装体８間および個別包装体８と外装容器７との間に存在するが、整列していない個別包装体８は移動することも容易ではなく、間隙の大きさを変えて、確実に指を侵入できる領域を確保することは困難である。
【０１３３】
たとえ、大きな間隙を探し出し、上手く指を侵入させ個別包装体８を潰すことなく取り出せたとしても、個別包装体８の向きに規則性がないため、個別包装体８を開封し、内包された陰唇間パッドを取り出すには、開封口を探し個別包装体８を持ち替える必要がある。したがって、個別包装体８を外装容器７から素早く取り出せたとしても、陰唇間パッドを個別包装体８から取り出して身体に素早く装着することもできず、内包した陰唇間パッドを変形させてしまう恐れがある。さらに、整列していない為過剰な空間が有り収納効率が悪く、輸送等の衝撃により変形させてしまう恐れもある。
【０１３４】
図２で示された第１本体２０における対向する側面２３及び２４は、第１底面２１から上面２２に向かって広がった傾斜面を形成している。図２における第１本体２０は正面から観ると逆台形となっているが、本発明の技術的思想の根幹は外装容器を逆角錐体に形成することが目的でない。
【０１３５】
本発明の目的とするところの「個別包装体を放射状に広げる状態」とは、個別包装体を厚み方向に間隙なく整列した状態から外装容器の開口面に向って、個別包装体と個別包装体の間に空隙を形成している状態を意味している。
【０１３６】
図５は、個別包装体を放射状に広げる状態を説明する図である。図５（ａ）に示されるように、個別包装体１の厚み方向の断面形状はほぼ長方形である。個別包装体１を厚み方向に整列すると、個別包装体１を収納し取り出せる所定の空間（間隙無く収まる空間）は断面が長方形となる。したがって、図５（ｂ）に示されるように外装容器となる第１本体２０を逆台形に形成すると、図５（ｂ）のハッチング部分が個別包装体１の余裕空間となる。側面２３及び２４を第１底面２１から第１開口部２２Ａへ向って広くすることにより、図５（ｃ）に示されるように個別包装体１を厚み方向（ＸＸ方向）に放射状に広げることができる。
【０１３７】
図６は、図５とは異なる個別包装体を放射状に広げる状態を説明する図である。図６（ａ）に示されるように、個別包装体１’は厚み方向の断面形状が上端から下端に向かって厚みが増すいわゆる雫形になっている。個別包装体１’を厚み方向に整列すると、個別包装体１’を収納し取り出せる所定の空間（間隙無く収まる空間）は断面が台形となる。したがって、図６（ｂ）に示されるように外装容器となる第１本体２０’を矩形に形成すると、図６（ｂ）のハッチング部分が個別包装体１’の余裕空間となる。側面２３’及び２４’を底面から垂直に形成することにより、図６（ｃ）に示されるように個別包装体１’を厚み方向（ＸＸ方向）に放射状に広げることができる。
【０１３８】
このように、個別包装体１の形状によっては、外装容器となる本体を逆台形形状にする必要はなく、長方形であっても収納されている個別包装体１は、底面から開口面に向って放射状に広がることができる。
【０１３９】
外装容器となる本体の側面は、図５に示されたように外側に広がっている方が、開口面が広く、個別包装体１を取り出しやすいイメージを消費者に与える上で好ましいと考えられる。しかし、図６に示されたように、収納される個別包装体１の形状によっては外装容器となる本体の側面が垂直に形成されていても、本発明の効果を得ることができる。
【０１４０】
収納する個別包装体１の形状によっては、底面から開口面に向って内側に挟まっている台形形状でも本発明の目的を達成することができる。しかしながら、前記のとおり開口面の面積が狭くなると、個別包装体１を取り出すときに消費者に窮屈なイメージを与える恐れが有るため、あまり好ましいとは言えない。
【０１４１】
図７と図８は、個別包装体１の長手方向と短手方向で形成した側面からみた個別包装体１を収納した外装容器となる本体の断面図である。
【０１４２】
側面２５及び２６の内壁は、収納されている個別包装体１の下端部を支点に、個別包装体１の上端部を厚み方向に安定して移動するためのガイドとなる。側面２５及び２６の内壁が個別包装体１のガイドの役割をつとめることにより、個別包装体１は整列を乱すことなく安定して放射状に広がることができる。特に、個別包装体１に内包されている柔軟な陰唇間パッドには、形崩れや潰れを抑える好適な構造である。更には、生産時に個別包装体１を詰め込むのに好適な構造である。
【０１４３】
図７（ｂ）において、個別包装体１は頂角が鋭角となる倒立概三角形の形状を形成しており、第１底面２１から垂直に側面２５及び２６が形成されているので、個別包装体１の縦長辺の輪郭一部が側面２５及び２６の内壁に当接している。
【０１４４】
図７（ａ）において、個別包装体１は頂角が鋭角となる概三角形の形状を形成しており、個別包装体１の縦長辺の輪郭は側面２５及び２６の内壁に当接している。
【０１４５】
図７（ｃ）において、個別包装体１は頂角が鋭角となる概三角形の形状を形成しており、第１底面２１から垂直に側面２５及び２６が形成されているので、個別包装体１の縦長辺の輪郭一部が側面２５及び２６の内壁に当接している。
【０１４６】
図７（ｄ）において、個別包装体１は縦長の楕円形状を形成しており、第１底面２１から垂直に側面２５及び２６が形成されているので、個別包装体１の縦長辺の輪郭一部が側面２５及び２６の内壁に当接している。
【０１４７】
図７（ａ）においては、個別包装体１の姿勢を保持するには最適の側面構成となっているが、Ｐの方向に個別包装体１を取り出すときに、個別包装体１を変形させるばかりか、個別包装体１を第１本体２０に収容しがたく、外装容器には不向きな構造である。
【０１４８】
図８においては、個別包装体１は頂角が鋭角となる倒立概三角形の形状を形成しており、側面２５及び２６の内壁は個別包装体１の長辺方向の輪郭に当接すべく、底面から第１開口部２２Ａに向けて広がっている。第１本体２０の構造は個別包装体１の姿勢を立設しやすいので、外装容器として好適といえるが、図７（ｂ）と比較して第１底面２１の面積が小さくなるので、外装容器の傾倒が懸念される。
【０１４９】
図７（ｂ）と図７（ｃ）は、側面２５及び２６が第１底面２１に対し垂直に形成されており、かつ、側面２５及び２６の内壁が平行しているので、収納されている個別包装体１を開口面からそのまま垂直方向（Ｐ方向）に取り出すときに、個別包装体１を変形することがないので、外装容器には好適な構造である。個別包装体１を安定して収容でき、かつ、個別包装体１を容易に取り出しやすい構造として、図７（ｂ）と図７（ｃ）に示される例を掲げたが、このように個別包装体１が外装容器内で立位することにより、外装容器の転倒を防ぐだけでなく、転倒の衝撃により内包されている柔軟な陰唇間パッドの形崩れや潰れを抑えることになる。
【０１５０】
図９は、外装容器に収納された状態での個別包装体１の移動範囲を外装容器の側面から表した図である。図９に示すように、個別包装体１は、外装容器となる第１本体２０の開口面に対して、個別包装体１の長辺方向が垂直となるように収納されているほうが好ましい。図９に示したように、底面から開口面までの距離Ｄ１に比例して、収納されている個別包装体１の開口面側端部は厚み方向へ移動できる範囲がＷ１からＷ２へと広くなり、個別包装体１の周辺に指を侵入し易くなる。
【０１５１】
更に、外装容器から個別包装体１を取り出すときに、個別包装体１の周囲に指をより深く侵入させることができるため、個別包装体１を確実に把持することができ、陰唇間パッドを素早く外装容器から取り出して身体に装着することができる。
【０１５２】
次に、個別包装体１を外装容器内で複数配列する外装容器の構成を図１０の実施形態により説明する。図１０（ａ）は平面図、図１０（ｂ）は図１０（ａ）の縦断面図である。図１０の実施形態において、個別包装体１を複数配列する外装容器１００となる本体３０は矩形の底面３１を有して当該底面３１により直立し得ている。
【０１５３】
底面３１は、当該底面３１の二組の対辺をそれぞれの稜線とする四つの側面３３及び３４及び３５及び３６が立設され、底面３１と四つの側面３３及び３４及び３５及び３６で囲われる本体３０の上面３２は、底面３１に対向する開口部３２Ａが形成されている。
【０１５４】
底面３１の第１の辺を第１の稜線とする側面３３と、前記第１の辺と対向する第２の辺を第２の稜線とする側面３４は対向し、側面３３と側面３４との間隔は底面３１から開口部３２Ａに向かうに従い広くなっている。また、底面３１の第３の辺を第３の稜線とする側面３５と前記第３の辺と対向する第４の辺を第４の稜線とする側面３６は平行に対向し、かつ、側面３５と側面３６は底面３１と各々直交している。
【０１５５】
個別包装体１の２個以上が厚さ方向に複数列に整列されて第１本体３０に収納される幅を、側面３３及び３４は有している。図１０の実施形態では、個別包装体１が２列に整列される外装容器を例示したが、３列以上であっても配列可能である。
【０１５６】
図１０の実施形態において、個別包装体１は各列において放射状に広がって収容されており、個別包装体１の一つを取り出すための空間が容易に形成され、収納されている個別包装体１を把持して個別包装体１の長手方向に素早く確実に取り出すことができる。更に、１つの外装容器に収納できる個別包装体１が増えるため、廃棄物としての外装容器の廃棄量を減らすことにもなる。
【０１５７】
次に、個別包装体１を外装容器内で複数配列する外装容器の他の構成を図１１の実施形態により説明する。図１１（ａ）は平面図、図１１（ｂ）は図１１（ａ）の縦断面図である。図１１の実施形態における外装容器１１０は、図１０における本体３０に、列間の相互作用の影響を減らすための仕切り板を設けたものである。
【０１５８】
図１１の実施形態において、側面３５と側面３６の間に仕切り板３７が配置され、仕切り板３７は側面３５あるいは側面３６と平行する仕切り面３７Ａ及び３７Ｂを有し、仕切り面３７Ａ及び３７Ｂは底面３１と直交している。
【０１５９】
仕切り面３７Ａ及び３７Ｂの相反する立設辺は各々側面３３と側面３４と稜線を形成し、仕切り面３７Ａと側面３５内壁間の間隔および仕切り面３７Ｂと側面３６内壁間の間隔は個別包装体１の横短辺の長さと同等となっている。
【０１６０】
なお、図１１の実施形態においては、仕切り板３７を一つしか配置していないが、仕切り板３７を更に増加して、個別包装体１を３列以上収納する収納容器も実現可能である。
【０１６１】
図１１に示されるように個別包装体１は、外装容器１１０内で複数列にすることが可能である。個別包装体１が方向性をもって整列され、外装容器１１０に収納されていれば、個別包装体１を任意に移動して指を挿入できる空間を作りだすことが可能となる。したがって、個別包装体１を変形させることなく素早く確実に取り出すことができる。そして、個別包装体１の列間に仕切り板３７を配置することにより、個別包装体１が列間に相互に入り乱れることも少なくなる。また、仕切り板３７が列ごとに個別包装体１をガイドするため、最後の１つまで個別包装体１を容易に取り出すことができる。
【０１６２】
以上説明した外装容器１０又は１００及び１１０には、個別包装体１の開封口１２が同方向に揃えて整列し収納される。外装容器１０又は１００及び１１０から個別包装体１を取り出す場合に、個別包装体１が方向性をもって整列しているだけでなく、開封口１２が同じ向きに揃えられているため、最初の一枚を使用した時の一連の動作と同じ動作で個別包装体１を取り出して開封し、内包されている陰唇間パッドを取り出すことができる。
【０１６３】
このため、利用者は個別包装体１の開封口１２を探すために、何度も持ち替える必要がなく、内包されている陰唇間パッドが、形崩れや潰れを発生するといったことを更に少なくできるだけでなく、陰唇間パッドを素早く外装容器から取り出して、身体に装着することができる。
【０１６４】
次に、個別包装体１に内包されている陰唇間パッドについて図１２により説明する。図１２は個別包装体１から陰唇間パッド１Ａを取り出して、陰唇間パッド１Ａを装着するまでの一連の動作を示した図である。
【０１６５】
図１２（ａ）は外装容器から個別包装体１を取り出した状態図である。図１２（ａ）の状態から開封口１２を封しているタブテープ１２Ａを剥して、個別包装体１を開封すると、図１２（ｂ）に示されるように、陰唇間パッド１Ａが現われる。次に、図１２（ｃ）に示される陰唇間パッド１Ａを身体に装着する。
【０１６６】
図１２（ｃ）に示されるように、陰唇間パッド１Ａは、身体側に面する透水性の表面側シート１Ｂと衣服側に面する裏面側シート１Ｃとが体液を吸収する吸収体１Ｄを内包させた形態で接合され、女性陰唇間に無理なく挟み込むことが可能な大きさの縦長形状を形成している。
【０１６７】
反身体側となる衣服側に面する裏面側シート１Ｃには、裏面側シート１Ｃの縦長辺方向の各側部において１箇所以上の接合部分と、裏面側シート１Ｃの短手方向において非接合部分と、をもって接合されたミニシート片１Ｅを備えている。前記非接合部分が、ミニシート片１Ｅと裏面側シート１Ｃとの間において、指の挿入が可能な指挿入用口１Ｆを形成している。
【０１６８】
上述した陰唇間パッド１Ａの第１の特徴は、女性陰唇間に無理なく挟み込むことが可能なことである。
【０１６９】
陰唇間パッド１Ａの第２の特徴は、指を挿入可能なミニシート片１Ｅを備えていることである。したがって、目視で確認することが難しい陰唇間に陰唇間パッド１Ａを装着する際、まず、陰唇間パッド１Ａに指を挿入し、挿入した指で陰唇間パッド１Ａを一時的に保持し、触覚の優れた指先の内側で、目視確認が困難な陰唇間スペースに自然な行為として装着することができる。更に、陰唇間パッド１Ａが陰唇間に着用する形態で個別包装体１に内包されているため、陰唇間へ挿入するときに変形することも少なくできる。
【０１７０】
このように、陰唇間パッド１Ａをスムーズに装着できるため、目視が困難な装着位置に繰り返し陰唇間パッド１Ａで探りながら装着することがなく、装着動作を繰り返すことによる陰唇間パッド１Ａの形崩れや潰れといった変形を少なくすることができる。かつ、手早く装着することができる。
【０１７１】
陰唇間パッド１Ａの第３の特徴は、個別包装体１を開封したときには、指挿入用口１Ｆが開くように個別包装体１に陰唇間パッド１Ａが折り畳まれていることである。陰唇間パッド１Ａを個別包装体１から取り出し、陰唇間パッド１Ａを開くと指挿入用口１Ｆが成生される。このため、陰唇間パッド１Ａの装着に手間取ることがない。装着動作がスムーズになり、陰唇間パッド１Ａを持ち替えて指挿入用口１Ｆを形成したりする必要がなく、何度も持ち替えることで陰唇間パッド１Ａが形崩れしたり、潰れてしまうといったことを少なくできる。
【０１７２】
更に、陰唇間パッド１Ａを陰唇間に着用する形態で個別包装体１に内包されているため、陰唇間パッド１Ａを陰唇間へ挿入するときに、陰唇間パッド１Ａが変形することも少なくできる。
【０１７３】
陰唇間パッド１Ａの第４の特徴は、陰唇間パッド１Ａの指挿入用口１Ｆが、個別包装体１の開封口１２に向って位置するように個別包装体１内に配置されていることである。このため、個別包装体１から陰唇間パッド１Ａを取り出して、直ちに指挿入用口１Ｆに指を挿入できる。
【０１７４】
次に、陰唇間パッド１Ａと個別包装体１の実施例を説明する。
【０１７５】
陰唇間パッド１Ａの素材構成として、表面側シート１Ｂにはスパンレース不織布を使用した。スパンレース不織布の配合比率はレーヨン：ポリエステル＝８５：１５である。レーヨン繊度は１．４ｄｔｅｘ、ポリエステル繊度は１．３ｄｔｅｘ、目付＝３５ｇ／平方メートルである。
【０１７６】
吸収体１Ｄには繊維集合体を使用した。繊維集合体の配合比率はレーヨン：天然コットン＝７５：２５である。レーヨン繊度は３．３ｄｔｅｘ、目付は２８０ｇ／平方メートルである。
【０１７７】
裏面側シート１Ｃには、凹凸エンボス加工を施したポリエチレンフィルムを使用した。ポリエチレンフィルムの膜厚は２０μｍである。ミニシート片１ＥにはポリプロピレンＳＭＳ不織布を使用した。ポリプロピレンＳＭＳ不織布の目付は１８ｇ／平方メートルである。個別包装体１は膜厚３０μｍのポリエチレンフィルムを使用した。
【０１７８】
陰唇間パッド１Ａのサイズは、縦軸方向×横軸方向（開封時）＝１００ｍｍ×６５ｍｍであり、陰唇間パッド１Ａの重量は１．４ｇである。個別包装体１のサイズは、縦軸方向×横軸方向＝１２０ｍｍ×３５ｍｍであり、厚さは、０．５ｇ／平方メートル加重下での測定値で７ｍｍである。
【０１７９】
図１３は、陰唇間パッド１Ａを内包する個別包装体１の実施例の図である。図１３（ａ）は個別包装体１の外観図であり、図１３（ｂ）は図１３（ａ）のＡ−Ａ断面図である。
【０１８０】
図１３（ａ）に示されるように、個別包装体１は開封を容易にするために、個別包装体１の両端部は格子状にエンボス加工されている。個別包装体１の前記両端部がエンボス加工部１３となる。
【０１８１】
また、図１３（ｂ）に示されるように、陰唇間パッド１Ａは表面側シート１Ｂを外側に、ミニシート片１Ｅを内側にして、縦軸方向に沿って二つ折りにされて個別包装体１に内包される。
【０１８２】
個別包装体１は、二つ折りにされた陰唇間パッド１Ａの周囲を包み、その重なり部分は、異物混入を阻止すべく接着剤１２Ｂで封止されている。更に、前記重なり部分にはタブテープ１２Ａで封止されている。
【０１８３】
なお、個別包装体１の開封口１２を開けると、陰唇間パッド１Ａの指挿入用口１Ｆに指が容易に挿入できるように陰唇間パッド１Ａは封入されている。開封口１２から陰唇間パッド１Ａを取り出すと、陰唇間パッド１Ａは弾力性があるので、二つ折りにされた陰唇間パッド１Ａが開くようになる。そして、指の挿入が可能な指挿入用口１Ｆが生成される。
【０１８４】
次に、図２に示される外装容器１０の第１の実施例を図１４により説明する。外装容器１０は、例えば、３２０ｇ／平方メートルのコートボール紙を素材とした紙カートンで形成される。図１４（ａ）は、外装容器１０の展開図であり、外装容器１０はこのような展開型紙を折り曲げて組み立てられる。
【０１８５】
図１４（ａ）において、側面２６の延長には、第１蓋体４０の一部を構成するタブ４１が形成される。タブ４１の対向側に円弧形状の切り込み４２が設けられる。側面２５（図２参照）の一部と第１蓋体４０の一部に、第１開口部２２Ａ（図２参照）となるミシン目の切り込み４４が設けられる。図１４（ａ）において、のり代部分に接着剤ＡＤを塗布し、組み立てれば、外装容器１０は図１４（ｂ）に示される完成品となる。
【０１８６】
図１４（ｃ）に示されるように、外装容器１０の第１底面２１の横幅は例えば、１００ｍｍであり、第１底面２１の奥行きは３５ｍｍである。外装容器１０の上面２２の横幅は例えば、１１０ｍｍであり、外装容器１０の高さは例えば、１２５ｍｍである。この外装容器１０には陰唇間パッド１Ａを内包した個別包装体１が１２個収容可能である。
【０１８７】
図１４（ｄ）は、完成品となった外装容器１０をポリプロピレンシュリンクフィルム（以下、ＰＰＳＦという）等にて筒状にオーバーラッピングした図である。図１４（ｅ）は、筒状にオーバーラッピングしたＰＰＳＦの両端を接着した状態図である。図１４（ｅ）の状態から、ＰＰＳＦを加熱するとＰＰＳＦが熱収縮し、外装容器１０を密閉する。このように、外装容器１０を開封する直前まで、外装容器１０をオーバーラッピングすることによって、第１本体２０と第１蓋体４０間の隙間から侵入する混入物（コンタミネーション）を防御でき、使用前の個別包装体１を衛生的に保全できる。
【０１８８】
次に、第１の実施例による外装容器１０の開閉動作を図１５により説明する。図１５（ａ）は、外装容器１０のオーバーラッピングが外された状態図である。図１５（ｂ）は、開封動作によって、ミシン目で接合されている第１蓋体４０の一部が第１本体２０から外れて、第１開口部２２Ａが出現した状態図である。図１５（ｂ）の状態で、第１開口部２２Ａから個別包装体１を取り出すことができる。
【０１８９】
図１５（ｄ）〜図１５（ｇ）は、図１５（ｃ）におけるＡ部の状態変化を説明するための図である。図１５（ｄ）〜図１５（ｇ）はＡ部の断面拡大図になっている。
【０１９０】
図１５（ｄ）の状態からタブ４１を時計方向に回転すると、図１５（ｅ）の状態になる。図１５（ｅ）の状態からタブ４１の反対端を切り込み４３に挿入すると、図１５（ｆ）の状態になる。図１５（ｆ）の状態から、タブ４１を反時計方向に回転すると、図１５（ｇ）の状態になり、外装容器１０を第１蓋体４０で再封止できる。
【０１９１】
このように、個別包装体１を取り出す毎に外装容器１０を第１蓋体４０で再封止できるので、外部からの混入物の浸入を防ぐことができ、残りの個別包装体１も衛生的に保全できる。
【０１９２】
次に、外装容器１０の第２の実施例と第３の実施例を図１６に示す。図１６（ａ）は外装容器１０の第２の実施例を、図１６（ｂ）は外装容器１０の第３の実施例を示している。図１６（ａ）と図１６（ｂ）にそれぞれ、外装容器１０の展開図、完成品斜視図、開封状態図を示した。
【０１９３】
次に、外装容器１０の第４の実施例を図１７により説明する。図１７（ａ）は、外装容器１０の第４の実施例による展開図であり、外装容器１０はこのような展開型紙を折り曲げて組み立てられる。
【０１９４】
図１７（ａ）において、第１から第４の稜線とそれぞれ相反する第５から第８の稜線の中間に、前記第１から第４の稜線とそれぞれ平行する第１から第４の折り目Ｌ１〜Ｌ４が第１から第４の側面２３〜２６に連続して形成されている。
【０１９５】
一方、前記第３と第４の稜線幅より狭い幅をもつ第１と第２の狭幅折り目ＮＬ１及びＮＬ２が第３と第４の折り目Ｌ３及びＬ４の線上にそれぞれ形成されている。
【０１９６】
更に、第１の狭幅折り目ＮＬ１における第１と第２の端点と前記第１の稜線における第１と第２の稜とをそれぞれ結ぶ第１と第２の傾斜折り目ＳＬ１と、第１の狭幅折り目ＮＬ１における第１と第２の端点と前記第５の稜線における第１と第２の稜とをそれぞれ結ぶ第３と第４の傾斜折り目ＳＬ３及びＳＬ４とが第３の側面２５にそれぞれ形成されている。
【０１９７】
一方、第２の狭幅折り目ＮＬ２における第１と第２の端点と前記第２の稜線における第１と第２の稜とをそれぞれ結ぶ第５と第６の傾斜折り目ＳＬ５及びと、第２の狭幅折り目ＮＬ２における第１と第２の端点と前記第６の稜線における第１と第２の稜とをそれぞれ結ぶ第７と第８の傾斜折り目ＳＬ７及びＳＬ８とが第４の側面２６に形成されている。
【０１９８】
そして、第１の傾斜折り目ＳＬ１と、第３の傾斜折り目ＳＬ３と、第５の傾斜折り目ＳＬ５と、第７の傾斜折り目ＳＬ７とで区画される第１の折込み部ＤＩＶ１（図１７（ｂ）参照）が形成される。
【０１９９】
同様に、第２の傾斜折り目ＳＬ２と、第４の傾斜折り目ＳＬ４と、第６の傾斜折り目ＳＬ６と、第８の傾斜折り目ＳＬ８とで区画される第２の折込み部ＤＩＶ２（図１６（ｂ）参照）が形成される。
【０２００】
以上の複数の折り目をもつ第４の実施例の外装容器１０における外観図を図１７（ｂ）に示す。図１７（ｃ）は図１７（ｂ）の上面図である。図１７（ｄ）は図１７（ｂ）の縦断面図である。図１７（ｄ）は、外装容器１０内の個別包装体１が残り少なくなり、個別包装体１が外装容器１０内で大きく傾いている状態を示している。
【０２０１】
図１７（ｂ）において、側面２３に形成された折り目Ｌ１と側面２４に形成された折り目Ｌ２とが近づく方向に力を加えると、外装容器１０は図１７（ｅ）に示された状態に変形する。図１７（ｅ）では、第１と第２の折込み部ＤＩＶ１及びＤＩＶ２が形成されている。
【０２０２】
すなわち、図１７（ｅ）の上面図である図１７（ｆ）に示されるように、狭幅折り目ＮＬ１と狭幅折り目ＮＬ２は相反する方向に移動する。一方、図１７（ｆ）の縦断面である図１７（ｇ）に示されるように、折り目Ｌ１と折り目２の間隔は第１底面２１の長辺の長さより短くなるように外装容器１０は変形する。
【０２０３】
このように、外装容器１０を変形させることにより、図１７（ｇ）に示されるように、外装容器１０内の残り少なくなった個別包装体１の傾斜を立ち上げ、個別包装体１を最後の１個まで素早く確実に取り出すことを可能とさせる。
【０２０４】
次に、外装容器１０の第５の実施例を図１８により説明する。図１８は、図１７と同じように、外装容器１０内の残り少なくなった個別包装体１を最後の１個まで取り出すことを容易にするための外装容器１０である。
【０２０５】
図１８（ａ）は外側ケース１０Ａの展開図であり、外側ケース１０Ａはこのような展開型紙を折り曲げて組み立てられる。外側ケース１０Ａは、例えば、３２０ｇ／平方メートルのコートボール紙を素材とした紙カートンで形成される。
【０２０６】
図１８（ａ）において、底面板２１Ａと側面板２３Ａ〜２６Ａは折り曲げ線と糊代を有して展開されている。これら底面板２１Ａと側面板２３Ａ〜２６Ａが組み立てられて、第１本体１０（図２参照）の外形を実質的に形成している。
【０２０７】
図１８（ａ）において、側面板２６Ａの延長には、第１蓋体４０Ａの一部を構成するタブ４１Ａが形成される。タブ４１Ａの対向側に円弧形状の切り込み４２Ａが設けられる。側面板２５Ａの一部と第１蓋体４０Ａの一部に、第１開口部２２Ａ（図２参照）となるミシン目の切り込み４４Ａが設けられる。図１８（ａ）において、のり代部分に接着剤ＡＤを塗布し、組み立てれば、図１４（ｅ）に示される外装容器の相似形となる。
【０２０８】
図１８（ｂ）は内側ケース１０Ｂの展開図であり、内側ケース１０Ｂはこのような展開型紙を折り曲げて組み立てられる。内側ケース１０Ｂは、例えば、３２０ｇ／平方メートルのコートボール紙を素材とした紙カートンで形成される。
【０２０９】
図１８（ｂ）において、内側ケース１０Ｂにおける側面板２３Ｂ〜２６Ｂは折り曲げ線と糊代を有して展開されている。この内側ケース１０Ｂは外側ケース１０Ａに内接するように形成されている。そして、側面板２３Ｂは、互いに平行な第５の折れ目Ｌ５と、第７の折れ目Ｌ７と、第９の折れ目Ｌ９とを形成している。同様に側面板２４Ｂは、互いに平行な第６の折れ目Ｌ６と、第８の折れ目Ｌ８と、第１０の折れ目Ｌ１０とを形成している。
【０２１０】
また、側面板２３Ｂの両側折れ目線は第９の折れ目Ｌ９まで切り込み線になっている。同様に、側面板２４Ｂの両側折れ目線は第１０の折れ目Ｌ１０まで切り込み線になっている。そして、図１８（ｃ）に示されるように、側面板２３Ｂは第５の折れ目Ｌ５で、内側ケース１０Ｂにおける内側から外側に折り曲げられる。同様に、側面板２４Ｂは第６の折れ目Ｌ６で、内側ケース１０Ｂにおける内側から外側に折り曲げられる。
【０２１１】
図１８（ｄ）は、内側ケース１０Ｂが組み立てられた状態図であり、側面板２３Ｂ及び側面板２４Ｂのそれぞれの端部は内側ケース１０Ｂの上面から突出している。図１８（ｅ）は、図１８（ｄ）における内側ケース１０Ｂが外側ケース１０Ａに組み込まれた状態図である。図１８（ｅ）において、側面板２３Ｂ及び側面板２４Ｂのそれぞれの端部は外側ケース１０Ａの上面から突出している。そして、外側ケース１０Ａは内側ケース１０Ｂにおける側面板２３Ｂ及び２４Ｂを移動自在に保持している。
【０２１２】
図１８（ｆ）に示されるように、第５の実施例による外装容器１０においては、側面板２３Ｂ及び２４Ｂのそれぞれの端部を把持して上方に引き上げることが可能になっている。
【０２１３】
図１８（ｇ）と図１８（ｈ）は、それぞれ図１８（ｆ）における縦断面図である。図１８（ｇ）は、外装容器１０内の個別包装体１が残り少なくなり、個別包装体１が外装容器１０内で大きく傾いている状態を示している。
【０２１４】
図１８（ｈ）は、側面板２３Ｂ及び２４Ｂのそれぞれの端部を引き上げた状態図である。図１８（ｈ）において、側面板２３Ｂは第５の折れ目Ｌ５と第７の折れ目Ｌ７と第９の折れ目Ｌ９で三角形状の第１の突出部ＰＲＯ１を形成している。同様に、側面板２４Ｂは第６の折れ目Ｌ６と第８の折れ目Ｌ８と第１０の折れ目Ｌ１０で三角形状の第２の突出部ＰＲＯ２を形成している。
【０２１５】
そして、第１の突出部ＰＲＯ１と第２の突出部ＰＲＯ２が互いに近づくことにより、外装容器１０の内部を変形させ、図１８（ｈ）に示されるように、外装容器１０内の残り少なくなった個別包装体１の傾斜を立ち上げ、個別包装体１を最後の１個まで素早く確実に取り出すことを可能とさせる。
【０２１６】
以上説明した外装容器の第１から第５の実施例においては、陰唇間パッド１Ａの使用方法を記載した取扱説明書（能書）２を外装容器１０の開口部付近に示すこともできる。女性陰唇間に挟み込む非常に柔軟な陰唇間パッド１Ａは、正しい装着位置に着用できなかった場合に、着用者に異物感を与えてしまう恐れがあり、特に、陰唇間パッド１Ａを初めて着用する使用者に対しては、陰唇間パッド１Ａの使用法を知らせることが必要である。
【０２１７】
この場合、外装容器１０を開封後、最初の個別包装体１を手にするような位置に取扱説明書２を配置していることが望ましい。特に、本発明における外装容器は、開口部の存在する開口面が広くなる構造であり、取扱説明書２を使用者へ表示する面積を広く取ることが可能である。
【０２１８】
具体的には、図１９（ａ）に示されるように、収納された個別包装体１と外装容器の第１開口部２２Ａの間に、使用方法や注意喚起が記載され取扱説明書（能書）２を挟み込む方法や、図１９（ｂ）に示されるように外装容器１０の第１開口部２２Ａを覆う蓋体の内側全面に記載することも可能である。なお、図１９では、外装容器１０を例にとって、取扱説明書２の装着個所を説明したが、取扱説明書２の装着は前述の第１から第５の実施例におけるいずれの外装容器にも可能である。
【０２１９】
本発明による外装容器の板紙は、坪量＝２３０〜３５０ｇ／平方メートルのコートボール紙や坪量＝１６０〜２５０ｇ／平方メートルのカード紙を使用した。外装容器の板紙が前記の坪量範囲未満であると外装容器の剛性が低くなりすぎて、物流時などの外部からの衝撃に対して外装容器の形状を保持することが困難となり、収納している陰唇間パッドを保護することもできなくなる可能性がある。逆に、外装容器の板紙が前記の坪量範囲を超えると、外装容器の剛性は高くなるが、コストが高くなるのであまり好ましくない。
【０２２０】
一方、本発明による外装容器の素材として前記の板紙に換えて、厚さ２５μｍ程度のポリプロピレン樹脂フィルム等のプラスチックシートも実施可能である。
【０２２１】
しかしながら、廃棄物処理性の観点からは、本発明による外装容器の素材は、紙材が好ましい。紙材であれば焼却容易であり、外装容器の剛性は手で押し潰せば容易に潰せる程度であって、外装容器の減容化は容易であり、廃棄にあたって環境負荷を少なくできる。
【０２２２】
本発明による外装容器としては、ブロー形成した硬質プラスチック製のポリ容器、アルミニウム及びスチール及びステンレス等の金属性容器、ガラスや陶器製の容器など、インテリアに合わせた外装容器として実施しても良い。この場合、陰唇間パッドを使い切ったら、新たに陰唇間パッドを詰め替えることで半永久的に外装容器を使用できる。
【０２２３】
次に、本発明による外装容器における第６から第８の実施例を説明する。
【０２２４】
図２０は第６の実施例による外装容器５０の外観図である。図２０において、本体５１は、例えば、軟質合成樹脂材で一体成型される。蓋体５２は透明軟質合成樹脂材で一体成型される。本体５１の形状は第１本体２０と同じである。蓋体５２は本体５１の開口部を覆う。
【０２２５】
図２０に示された蓋付き外装容器５０は、本体５１に異物（例えば、塵芥）の侵入を防止できて衛生的であり、蓋体５２が透明であるので個別包装体１の残数を視認でき便利である。
【０２２６】
図２１は第７の実施例による外装容器６０の外観図である。図２１において、本体６１と蓋体６２は、ポリエチレン等の熱可塑性軟質合成樹脂材でそれぞれ一体成型される。本体６１の側面上端部外壁に凹部６１Ａが形成される。蓋体６２の鍔内壁に突起６２Ａが形成される。凹部６１Ａと突起６２Ａがかん合して本体６１の開口部は蓋体６２で覆われる。
【０２２７】
図２１に示された蓋付き外装容器は、本体６１に異物（例えば、塵芥）の侵入を防止できて衛生的であり、蓋体６２が本体６１に弾性をもって覆っているので、蓋体６２が安易に外れることがない。
【０２２８】
図２２は第８の実施例による外装容器７０の外観図である。図２２において、本体７１と蓋体７２は、ポリエチレン等の熱可塑性軟質合成樹脂材でそれぞれ一体成型される。本体７１の側面上端部外壁と蓋体７２の鍔外壁は貼着テープなどの柔軟テープ７３で連結され、蓋体７２を開閉自在にしている。
【０２２９】
図２２に示された蓋付き外装容器７０は、本体７１に異物（例えば、塵芥）の侵入を防止できて衛生的であり、蓋体７２と本体７１が柔軟テープ７３で連結されているので、蓋体７２を紛失することがない。
【０２３０】
次に、陰唇間パッド用外装容器と並列配置される生理用品用外装容器の構成を図２３により説明する。図２３の実施形態において、生理用品用外装容器８００は身体の外部に使用する生理用ナプキンを個別に内包している個別包装体を収納する第２本体８０を備えている。
【０２３１】
第２本体８０は、第１本体２０（図２参照）の上面２２と同じ長さの長辺及び短辺を形成している長方形の第２底面８１を有して、当該第２底面８１により直立し得ている。第２底面８１には、第２底面８１の二組の対辺をそれぞれの稜線とする四つの側面８３〜８６が立設されている。
【０２３２】
第２底面８１と四つの側面８３〜８６で囲われる第２本体８０の上面８２は、第２底面８１に対向する第２開口部８２Ａが形成されている。そして、第２底面８１から第２本体８０の上面８２までの高さは、第１本体２０（図２参照）の第１底面２１から上面２２までの高さと同じとしている。また、上面８２は第１本体２０の第１底面２１と同じ長さの長辺及び短辺を形成している長方形を有している。
【０２３３】
第２底面８１の第１の短辺を稜線とする側面８３と第２底面８１の第２の短辺を稜線とする側面８４は対向しており、側面８３と側面８４との間隔は第２底面８１から第２開口部８２Ａとなる上面８２に向かうに従い狭くなっている。
【０２３４】
第２蓋体８Ａは、側面８６と第２開口部８２Ａで結合し、第２開口部８２Ａを覆うように開閉可能としている。第２底面８１の第１の長辺を稜線とする側面８５と第２底面８１の第２の長辺を稜線とする側面８６は対向し、第２本体８０の側面８５とは、第２底面８１と各々直交する。
【０２３５】
図２３は、生理用品用外装容器８００の側面８４と外装容器１０の側面２３（図２参照）と隣接するように配置されている。生理用品用外装容器８００の側面８４と外装容器１０の側面２４（図２参照）とが隣接するように配置されてもよい。もちろん、外装容器８００の側面８３と外装容器１０の側面２３（図２参照）とが隣接するように配置されてもよく、生理用品用外装容器８００の側面８３と外装容器１０の側面２４（図２参照）とが隣接するように配置されてもよい。
【０２３６】
図２３の生理用品用外装容器８００は、例えば、外装容器１０と同じ素材である３２０ｇ／平方メートルのコートボール紙を素材とする紙カートンで形成される。図２４は、生理用品用外装容器８００の展開図であり、生理用品用外装容器８００はこのような展開型紙を折り曲げて組み立てられる。
【０２３７】
図２４において、側面８６の延長には、第２蓋体８Ａの一部を構成するタブ８Ｂが形成される。タブ８Ｂの対向側に円弧形状の切り込み８Ｃが設けられる。側面８５の一部と第２蓋体８Ａの一部に、第２開口部８２Ａ（図２３参照）となるミシン目切り込み８Ｅが設けられる。図２４において、のり代部分に接着剤ＡＤを塗布し、組み立てれば、生理用品用外装容器８００は図２３に示される完成品となる。
【０２３８】
図２３に示されるように、陰唇間パッドを個別に内包している個別包装体を収納する外装容器１０と、例えば、身体の外部に使用する生理用ナプキンを個別に内包している個別包装体を収納する生理用品用外装容器８００とを並列に陳列すれば、利用者は陰唇間パッドか生理用ナプキンのどちらか一方をあるいは両方を購入でき、便利である。
【０２３９】
更に、外装容器１０と外装容器８００はそれぞれの底面と上面が逆さの関係の形状になっている。第２開口部８２Ａに較べて第２底面８１が広くなっている外装容器８００は、台形形状になっており重心が底面に近く安定性がよい。台形形状ということであれば、視覚的にも安定感がある。例えば、生理用ナプキンの個別包装体を取り出したときに、外装容器１０と比較して、生理用ナプキンの個別包装体は変形しやすいが、生理用ナプキンは復帰性が強いので問題はない。外装容器１０と外装容器８００をセットで配置できるメリット（例えば、梱包等）のほうが大きい。
【０２４０】
更に、外装容器８００の側面８５と外装容器１０の側面２５（図２参照）が並列配置される場合に、外装容器８００の側面８５と外装容器１０の側面２５とに一体に図柄（例えば、キャラクタ）を表示するようにすれば、消費者は組となった外装容器の内容物が陰唇間パッドと生理用ナプキンといった使用目的を同じとする生理用品であることを視覚容易に認識できる。
【０２４１】
【発明の効果】
本発明によれば、この外装容器は、女性陰唇間に挟み込むための陰唇間パッドを個別に内包している個別包装体の２個以上が厚さ方向に整列して第１本体によって仕切り形成されている収納空間に収納される。そして、収納されている前記個別包装体を把持して前記個別包装体の長手方向に取り出すことができる。前記第１本体に前記個別包装体が複数個収納された状態では当該個別包装体が底面から開口部に向かうに従い放射状に広がることができる。このため、外装容器から前記個別包装体を取り出すとき、非常に取り出し易い状態になっている。また、取り出した残りの個別包装体は外装容器に整列して収納されており、いわゆるバラバラの状態になっているわけではない。このことより、外装容器から素早く前記個別包装体を取り出すことができる。
【０２４２】
さらに、本発明によれば、実施例における第１本体は逆台形状であり、第２本体は台形状であり、第１本体と第２本体はそれぞれの底面と上面が逆さの関係の形状になっているので、陰唇間パッドを個別に内包している個別包装体を収納する第１本体を有する外装容器と、生理用品を収納する第２本体を有する生理用品用外装容器とを並列に陳列すれば、利用者は陰唇間パッドか生理用品のどちらか一方をあるいは両方を購入でき、便利である。
【図面の簡単な説明】
【図１】本発明による外装容器に収納される個別包装体を示す図である。
【図２】本発明における個別包装体の外装容器となる第１本体の外観図である。
【図３】本発明における個別包装体の状態変化図である。
【図４】従来技術で説明された陰唇間パッド（ｅｎｖｉｖｅ）用の外装容器の上面斜視図である。
【図５】本発明における個別包装体を放射状に広げる状態を説明する図である。
【図６】図５とは異なる個別包装体を放射状に広げる状態を説明する図である。
【図７】個別包装体の長手方向と短手方向で形成した面側からみた個別包装体を収納した外装容器となる本体の断面図である。
【図８】個別包装体の長手方向と短手方向で形成した面側からみた個別包装体を収納した外装容器となる本体の断面図である。
【図９】本発明における外装容器に収納された状態での個別包装体の移動範囲を外装容器の側面から表した図である。
【図１０】本発明における個別包装体を外装容器内で複数配列する第１本体の構成図である。
【図１１】本発明における個別包装体を外装容器内で複数配列する外装容器に仕切り板を設けた第１本体の構成図である。
【図１２】本発明における個別包装体に内包されている陰唇間パッドについての図である。
【図１３】本発明における陰唇間パッドを内包する個別包装体の実施例の図である。
【図１４】本発明における外装容器の第１の実施例を示す図である。
【図１５】本発明における第１の実施例による外装容器の開閉動作を説明する図である。
【図１６】本発明における外装容器の第２の実施例と第３の実施例を示す図である。
【図１７】本発明における外装容器の第４の実施例を示す図である。
【図１８】本発明における外装容器の第５の実施例を示す図である。
【図１９】本発明における外装容器に取扱説明書を装着した図である。
【図２０】本発明における第６の実施例による外装容器の外観図である。
【図２１】本発明における第７の実施例による外装容器の外観図である。
【図２２】本発明における第８の実施例による外装容器の外観図である。
【図２３】本発明における陰唇間パッド用外装容器と並列配置される生理用品用外装容器の構成図である。
【図２４】本発明における生理用品用外装容器の展開図である。
【符号の説明】
１  個別包装体
１Ａ  陰唇間パッド
１Ｂ  表面側シート
１Ｃ  裏面側シート
１Ｄ  吸収体
１Ｅ  ミニシート片
１Ｆ  指挿入用口
８Ａ  第２蓋体
１０  外装容器
１０Ａ  外側ケース
１０Ｂ  内側ケース
１１Ａ  面
１１Ｂ  面
１２  開封口
１２Ａ  タブテープ
１２Ｂ  接着剤
１３  エンボス加工部
２０  第１本体
２１  第１底面
２２  上面
２２Ａ  第１開口部
２３  側面
２３Ａ  側面板
２３Ｂ  側面板
２４  側面
２４Ａ  側面板
２４Ｂ  側面板
２５  側面
２５Ａ  側面板
２５Ｂ  側面板
２６  側面
２６Ａ  側面板
２６Ｂ  側面板
３０  本体
３１  底面
３２  上面
３２Ａ  開口部
３３  側面
３４  側面
３５  側面
３６  側面
３７  仕切り板
４０  第１蓋体
４１  タブ
４１Ａ  タブ
５０  外装容器
５１  本体
５２  蓋体
６０  外装容器
６１  本体
６２  蓋体
７０  外装容器
７１  本体
７２  蓋体
７３  柔軟テープ
８０  第２本体
８１  第２底面
８２  上面
８２Ａ  第２開口部
８３  側面
８４  側面
８５  側面
８６  側面
１００  外装容器
１１０  外装容器
８００  生理用品用外装容器
【図１】
2004307044.tif 000003
【図２】
2004307044.tif 000004
【図３】
2004307044.tif 000005
【図４】
2004307044.tif 000006
【図５】
2004307044.tif 000007
【図６】
2004307044.tif 000008
【図７】
2004307044.tif 000009
【図８】
2004307044.tif 000010
【図９】
2004307044.tif 000011
【図１０】
2004307044.tif 000012
【図１１】
2004307044.tif 000013
【図１２】
2004307044.tif 000014
【図１３】
2004307044.tif 000015
【図１４】
2004307044.tif 000016
【図１５】
2004307044.tif 000017
【図１６】
2004307044.tif 000018
【図１７】
2004307044.tif 000019
【図１８】
2004307044.tif 000020
【図１９】
2004307044.tif 000021
【図２０】
2004307044.tif 000022
【図２１】
2004307044.tif 000023
【図２２】
2004307044.tif 000024
【図２３】
2004307044.tif 000025
【図２４】
2004307044.tif 000026